(57)【要約】  本発明はアンテナビーム管理のための方法および関連装置を開示し、既存の大規模アンテナ技術におけるビーム管理のための制御シグナリングのかなりのオーバーヘッドの問題点を解決する。当該方法では、端末は、基地局に前記端末のダウンリンクビームの関連情報を送信することにより、前記基地局が前記ダウンリンクビームの関連情報に基づいて第１のダウンリンク送信ビームを決定するようにするステップと、前記端末は、前記基地局により送信された前記第１のダウンリンク送信ビームと関連する通知情報を受信するステップと、前記端末は、前記通知情報に基づき、少なくとも１つの前記第１のダウンリンク受信ビームを決定するステップと、前記端末は、少なくとも１つの前記第１のダウンリンク受信ビームに基づき、ダウンリンク信号を受信するステップとを備える。前記通知情報は、前記端末が少なくとも１つの第１のダウンリンク受信ビームを決定するための指示情報を含む。
2019531656.tif 000002
【特許請求の範囲】
【請求項１】
端末は、基地局に前記端末のダウンリンクビームの関連情報を送信することにより、前記基地局が前記ダウンリンクビームの関連情報に基づいて第１のダウンリンク送信ビームを決定するようにするステップと、
前記端末は、前記基地局により送信された前記第１のダウンリンク送信ビームと関連する通知情報を受信するステップと、
前記端末は、前記通知情報に基づき、少なくとも１つの第１のダウンリンク受信ビームを決定するステップと、
前記端末は、少なくとも１つの前記第１のダウンリンク受信ビームに基づき、ダウンリンク信号を受信するステップとを備え、
前記通知情報は、前記端末が少なくとも１つの前記第１のダウンリンク受信ビームを決定するための指示情報を含むことを特徴とするアンテナビーム管理のための方法。
【請求項２】
前記端末が、基地局に前記端末のダウンリンクビームの関連情報を送信する場合、
前記端末は、Ｍ個のダウンリンク受信ビームのうちの少なくとも１つのダウンリンク受信ビームに基づき、前記基地局により送信されたＫ個のダウンリンク送信ビームトレーニング信号を受信し、
前記端末は、前記少なくとも１つのダウンリンク受信ビームにより受信された受信信号に基づき、前記端末のダウンリンクビームの関連情報を決定し、
前記端末は、前記基地局に前記ダウンリンクビームの関連情報を送信し、
Ｍ、Ｋは１より大きいか等しい整数であり、ＫはＭより大きいか等しいことを特徴とする請求項１に記載のアンテナビーム管理のための方法。
【請求項３】
前記ダウンリンクビームの関連情報は、
前記基地局のＫ個のダウンリンク送信ビームのうち、所定の条件を満たすＮ個のダウンリンク送信ビームのＮ個の第１の識別子情報及び前記Ｎ個のダウンリンク送信ビームそれぞれに対応する受信情報であり、Ｎは１より大きいか等しいかつＫより小さいか等しい整数であることを特徴とする請求項２に記載のアンテナビーム管理のための方法。
【請求項４】
前記受信情報は、
前記各ダウンリンク送信ビームに対応するダウンリンク受信ビームの識別子情報、または
前記各ダウンリンク送信ビームに対応するダウンリンク受信ビームのグループ情報、または
前記各ダウンリンク送信ビームに対応する受信指示情報であることを特徴とする請求項３に記載のアンテナビーム管理のための方法。
【請求項５】
前記指示情報は、少なくとも１つの前記第１のダウンリンク受信ビームの少なくとも１つのインデックス情報、または少なくとも１つの前記第１のダウンリンク受信ビームの少なくとも１つの識別子情報、または少なくとも１つの前記第１のダウンリンク受信ビームの所在の少なくとも１つのグループの少なくとも１つのグループ識別子情報、または前記第１のダウンリンク送信ビームに対応する第１の受信指示情報を含むことを特徴とする請求項１に記載のアンテナビーム管理のための方法。
【請求項６】
前記通知情報は、前記通知情報の有効時間、または少なくとも１つの前記第１のダウンリンク受信ビームに対応する時間ー周波数リソース位置を示す有効時間ー周波数リソース指示情報、または所定の期間内の少なくとも１つの前記第１のダウンリンク受信ビームと時間ー周波数リソース位置との間のマッピング関係を含むことを特徴とする請求項５に記載のアンテナビーム管理のための方法。
【請求項７】
前記端末は、前記通知情報に基づき、少なくとも１つの前記第１のダウンリンク受信ビームを決定する場合、
前記少なくとも１つのインデックス情報に基づき、少なくとも１つの前記第１のダウンリンク受信ビームを決定し、または
前記第１の受信指示情報に基づき、少なくとも１つの前記第１のダウンリンク受信ビームを決定し、または
前記少なくとも１つの識別子情報及び識別子情報とダウンリンク受信ビームとの間の対応関係に基づき、少なくとも１つの前記第１のダウンリンク受信ビームを決定し、または
前記少なくとも１つのインデックス情報または前記少なくとも１つの識別子情報に基づき、少なくとも１つの第２のダウンリンク受信ビームを決定し、Ｍ個のダウンリンク受信ビームから、前記少なくとも１つの第２のダウンリンク受信ビームとマッチングする少なくとも１つの受信ビームを少なくとも１つの前記第１のダウンリンク受信ビームとして決定し、または
前記少なくとも１つのグループ識別子情報に基づき、少なくとも１つのターゲットグループを決定し、前記少なくとも１つのターゲットグループの各グループから１つの第１のダウンリンク受信ビームを選択して、少なくとも１つの前記第１のダウンリンク受信ビームとすることを特徴とする請求項５に記載のアンテナビーム管理のための方法。
【請求項８】
前記少なくとも１つのターゲットグループの各グループから１つの第１のダウンリンク受信ビームを選択する場合、
前記端末は、前記各グループから任意の１つのダウンリンク受信ビームを第１のダウンリンク受信ビームとして選択し、または
前記端末は、前記各グループから第２のグループ情報とマッチングするダウンリンク受信ビームを前記第１のダウンリンク受信ビームとして選択し、または
前記端末は、前記各グループ内の各ダウンリンク受信ビームに基づき、前記基地局により送信されたＲ個のトレーニング信号を受信し、前記端末は、前記各ダウンリンク受信ビームにより受信された受信トレーニング信号に基づき、前記各グループから所定規則を満たすダウンリンク受信ビームを前記第１のダウンリンク受信ビームとして選択することを特徴とする請求項７に記載のアンテナビーム管理のための方法。
【請求項９】
基地局は、端末により送信されたダウンリンクビームの関連情報を受信するステップと、
前記基地局は、前記ダウンリンクビームの関連情報に基づき、第１のダウンリンク送信ビームを決定するステップと、
前記基地局は、前記端末に前記第１のダウンリンク送信ビームと関連する通知情報を送信することにより、前記端末が前記通知情報に基づいて少なくとも１つの第１のダウンリンク受信ビームを決定するようにするステップと、
前記基地局は、前記第１のダウンリンク送信ビームに基づいて、前記端末にダウンリンク信号を送信するステップとを備え、
前記通知情報は、前記端末が少なくとも１つの第１のダウンリンク受信ビームを決定するための指示情報を含むことを特徴とするアンテナビーム管理のための方法。
【請求項１０】
前記基地局が端末により送信されたダウンリンクビームの関連情報を受信する前、
前記基地局は、前記端末にＫ個のダウンリンク送信ビームトレーニング信号を送信し、Ｋは１より大きいか等しい整数であることを特徴とする請求項９に記載のアンテナビーム管理のための方法。
【請求項１１】
前記ダウンリンクビームの関連情報は、
前記基地局のＫ個のダウンリンク送信ビームのうち、所定の条件を満たすＮ個のダウンリンク送信ビームのＮ個の第１の識別子情報及び前記Ｎ個のダウンリンク送信ビームそれぞれに対応する受信情報であり、Ｎは１より大きいか等しいかつＫより小さいか等しい整数であることを特徴とする請求項１０に記載のアンテナビーム管理のための方法。
【請求項１２】
前記受信情報は、
前記各ダウンリンク送信ビームに対応するダウンリンク受信ビームの識別子情報、または
前記各ダウンリンク送信ビームに対応するダウンリンク受信ビームのグループ情報、または
前記各ダウンリンク送信ビームに対応する受信指示情報であることを特徴とする請求項１１に記載のアンテナビーム管理のための方法。
【請求項１３】
前記指示情報は、少なくとも１つの前記第１のダウンリンク受信ビームの少なくとも１つのインデックス情報、または少なくとも１つの前記第１のダウンリンク受信ビームの少なくとも１つの識別子情報、または少なくとも１つの前記第１のダウンリンク受信ビームの所在の少なくとも１つのグループの少なくとも１つのグループ識別子情報、または前記第１のダウンリンク送信ビームに対応する第１の受信指示情報を含むことを特徴とする請求項９に記載のアンテナビーム管理のための方法。
【請求項１４】
前記基地局は、前記端末に前記第１のダウンリンク送信ビームと関連する通知情報を送信する場合、
前記基地局は、前記端末に前記通知情報を送信する必要があるかどうかを判定し、
送信する必要があると判定される場合、前記端末に前記通知情報を送信することを特徴とする請求項１３に記載のアンテナビーム管理のための方法。
【請求項１５】
前記基地局は、前記端末に前記通知情報を送信する必要があるかどうかを判定する場合、
前記基地局は、現在のダウンリンク送信ビームが前記第１のダウンリンク送信ビームと同じであるかどうかを判定し、
同じではないと判定される場合、前記端末に前記通知情報を送信することを決定することを特徴とする請求項１４に記載のアンテナビーム管理のための方法。
【請求項１６】
前記通知情報は、前記通知情報の有効時間、または少なくとも１つの前記第１のダウンリンク受信ビームに対応する時間ー周波数リソース位置を示す有効時間ー周波数リソース指示情報、または所定の期間内の少なくとも１つの前記第１のダウンリンク受信ビームと時間ー周波数リソース位置との間のマッピング関係を含むことを特徴とする請求項１３または請求項１４に記載のアンテナビーム管理のための方法。
【請求項１７】
基地局に端末のダウンリンクビームの関連情報を送信することにより、前記基地局が前記ダウンリンクビームの関連情報に基づいて第１のダウンリンク送信ビームを決定するようにする第１の送信モジュールと、
前記基地局により送信された前記第１のダウンリンク送信ビームと関連する通知情報を受信し、前記通知情報は、前記端末が少なくとも１つの第１のダウンリンク受信ビームを決定するための指示情報を含むように構成される、第１の受信モジュールと、
前記通知情報に基づき、少なくとも１つの前記第１のダウンリンク受信ビームを決定するように構成される、第１の決定モジュールと、
少なくとも１つの前記第１のダウンリンク受信ビームに基づき、ダウンリンク信号を受信するように構成される、第１の通信モジュールとを備えることを特徴とする端末。
【請求項１８】
前記第１の送信モジュールは、
Ｍ個のダウンリンク受信ビームのうちの少なくとも１つのダウンリンク受信ビームに基づき、前記基地局により送信されたＫ個のダウンリンク送信ビームトレーニング信号を受信し、
前記少なくとも１つのダウンリンク受信ビームにより受信された受信信号に基づき、前記端末のダウンリンクビームの関連情報を決定し、
前記基地局に前記ダウンリンクビームの関連情報を送信し、
Ｍ、Ｋは１より大きいか等しい整数であり、ＫはＭより大きいか等しいことを特徴とする請求項１７に記載の端末。
【請求項１９】
前記ダウンリンクビームの関連情報は、
前記基地局のＫ個のダウンリンク送信ビームのうち、所定の条件を満たすＮ個のダウンリンク送信ビームのＮ個の第１の識別子情報及び前記Ｎ個のダウンリンク送信ビームそれぞれに対応する受信情報であり、Ｎは１より大きいか等しいかつＫより小さいか等しい整数であることを特徴とする請求項１８に記載の端末。
【請求項２０】
前記受信情報は、
前記各ダウンリンク送信ビームに対応するダウンリンク受信ビームの識別子情報、または
前記各ダウンリンク送信ビームに対応するダウンリンク受信ビームのグループ情報、または
前記各ダウンリンク送信ビームに対応する受信指示情報であることを特徴とする請求項１９に記載の端末。
【請求項２１】
前記指示情報は、少なくとも１つの前記第１のダウンリンク受信ビームの少なくとも１つのインデックス情報、または少なくとも１つの前記第１のダウンリンク受信ビームの少なくとも１つの識別子情報、または少なくとも１つの前記第１のダウンリンク受信ビームの所在の少なくとも１つのグループの少なくとも１つのグループ識別子情報、または前記第１のダウンリンク送信ビームに対応する第１の受信指示情報を含むことを特徴とする請求項１７に記載の端末。
【請求項２２】
前記通知情報は、前記通知情報の有効時間、または少なくとも１つの前記第１のダウンリンク受信ビームに対応する時間ー周波数リソース位置を示す有効時間ー周波数リソース指示情報、または所定の期間内の少なくとも１つの前記第１のダウンリンク受信ビームと時間ー周波数リソース位置との間のマッピング関係を含むことを特徴とする請求項２１に記載の端末。
【請求項２３】
前記第１の決定モジュールは、
前記少なくとも１つのインデックス情報に基づき、少なくとも１つの前記第１のダウンリンク受信ビームを決定し、または
前記第１の受信指示情報に基づき、少なくとも１つの前記第１のダウンリンク受信ビームを決定し、または
前記少なくとも１つの識別子情報及び識別子情報とダウンリンク受信ビームとの間の対応関係に基づき、少なくとも１つの前記第１のダウンリンク受信ビームを決定し、または
前記少なくとも１つのインデックス情報または前記少なくとも１つの識別子情報に基づき、少なくとも１つの第２のダウンリンク受信ビームを決定し、Ｍ個のダウンリンク受信ビームから、前記少なくとも１つの第２のダウンリンク受信ビームとマッチングする少なくとも１つの受信ビームを少なくとも１つの前記第１のダウンリンク受信ビームとして決定し、または
前記少なくとも１つのグループ識別子情報に基づき、少なくとも１つのターゲットグループを決定し、前記少なくとも１つのターゲットグループの各グループから１つの第１のダウンリンク受信ビームを選択して、少なくとも１つの前記第１のダウンリンク受信ビームとすることを特徴とする請求項２２に記載の端末。
【請求項２４】
前記第１の決定モジュールは、
前記各グループから任意の１つのダウンリンク受信ビームを第１のダウンリンク受信ビームとして選択し、または
前記各グループから第２のグループ情報とマッチングするダウンリンク受信ビームを前記第１のダウンリンク受信ビームとして選択し、または
前記各グループ内の各ダウンリンク受信ビームに基づき、前記基地局により送信されたＲ個のトレーニング信号を受信し、前記端末は、前記各ダウンリンク受信ビームにより受信された受信トレーニング信号に基づき、前記各グループから所定規則を満たすダウンリンク受信ビームを前記第１のダウンリンク受信ビームとして選択することを特徴とする請求項２３に記載の端末。
【請求項２５】
端末により送信されたダウンリンクビームの関連情報を受信するように構成される、第２の受信モジュールと、
前記ダウンリンクビームの関連情報に基づき、第１のダウンリンク送信ビームを決定するように構成される、第２の決定モジュールと、
前記端末に前記第１のダウンリンク送信ビームと関連する通知情報を送信することにより、前記端末が前記通知情報に基づいて少なくとも１つの第１のダウンリンク受信ビームを決定するようにする第２の送信モジュールと、
前記第１のダウンリンク送信ビームに基づいて、前記端末にダウンリンク信号を送信するように構成される、第２の通信モジュールと、
を備え、
前記通知情報は、前記端末が少なくとも１つの第１のダウンリンク受信ビームを決定するための指示情報を含むことを特徴とする基地局。
【請求項２６】
前記基地局は、
前記端末にＫ個のダウンリンク送信ビームトレーニング信号を送信する用に構成される、第３の送信モジュールとをさらに備え、
Ｋは１より大きいか等しい整数であることを特徴とする請求項２５に記載の基地局。
【請求項２７】
前記ダウンリンクビームの関連情報は、
前記基地局のＫ個のダウンリンク送信ビームのうち、所定の条件を満たすＮ個のダウンリンク送信ビームのＮ個の第１の識別子情報及び前記Ｎ個のダウンリンク送信ビームそれぞれに対応する受信情報であり、Ｎは１より大きいか等しいかつＫより小さいか等しい整数であることを特徴とする請求項２６に記載の基地局。
【請求項２８】
前記受信情報は、
前記各ダウンリンク送信ビームに対応するダウンリンク受信ビームの識別子情報、または
前記各ダウンリンク送信ビームに対応するダウンリンク受信ビームのグループ情報、または
前記各ダウンリンク送信ビームに対応する受信指示情報であることを特徴とする請求項２７に記載の基地局。
【請求項２９】
前記指示情報は、少なくとも１つの前記第１のダウンリンク受信ビームの少なくとも１つのインデックス情報、または少なくとも１つの前記第１のダウンリンク受信ビームの少なくとも１つの識別子情報、または少なくとも１つの前記第１のダウンリンク受信ビームの所在の少なくとも１つのグループの少なくとも１つのグループ識別子情報、または前記第１のダウンリンク送信ビームに対応する第１の受信指示情報を含むことを特徴とする請求項２５に記載の基地局。
【請求項３０】
前記第２の送信モジュールは、
前記端末に前記通知情報を送信する必要があるかどうかを判定し、
送信する必要があると判定される場合、前記端末に前記通知情報を送信することを特徴とする請求項２９に記載の基地局。
【請求項３１】
前記第２の決定モジュールは、
現在のダウンリンク送信ビームが前記第１のダウンリンク送信ビームと同じであるかどうかを判定し、
同じではないと判定される場合、前記端末に前記通知情報を送信することを決定することを特徴とする請求項３０に記載の基地局。
【請求項３２】
前記通知情報は、前記通知情報の有効時間、または少なくとも１つの前記第１のダウンリンク受信ビームに対応する時間ー周波数リソース位置を示す有効時間ー周波数リソース指示情報、または所定の期間内の少なくとも１つの前記第１のダウンリンク受信ビームと時間ー周波数リソース位置との間のマッピング関係を含むことを特徴とする請求項２９または請求項３０に記載の基地局。
【請求項３３】
プロセッサと、メモリと、送受信機とを備え、前記送受信機は前記プロセッサの制御下でデータを送受信し、前記メモリはプリセットしたプログラムを記憶し、
前記プロセッサは、前記メモリに記憶されたプログラムを読み出し、
基地局に端末のダウンリンクビームの関連情報を送信することにより、前記基地局が前記ダウンリンクビームの関連情報に基づいて第１のダウンリンク送信ビームを決定するようにし、前記基地局により送信された前記第１のダウンリンク送信ビームと関連する通知情報を受信し、前記通知情報に基づき、少なくとも１つの第１のダウンリンク受信ビームを決定し、少なくとも１つの前記第１のダウンリンク受信ビームに基づき、ダウンリンク信号を受信し、
前記通知情報は、前記端末が少なくとも１つの前記第１のダウンリンク受信ビームを決定するための指示情報を含むことを特徴とする端末。
【請求項３４】
前記プロセッサは、
Ｍ個のダウンリンク受信ビームのうちの少なくとも１つのダウンリンク受信ビームに基づき、前記基地局により送信されたＫ個のダウンリンク送信ビームトレーニング信号を受信し、前記少なくとも１つのダウンリンク受信ビームにより受信された受信信号に基づき、前記端末のダウンリンクビームの関連情報を決定し、前記基地局に前記ダウンリンクビームの関連情報を送信し、Ｍ、Ｋは１より大きいか等しい整数であり、ＫはＭより大きいか等しいことを特徴とする請求項３３に記載の端末。
【請求項３５】
前記ダウンリンクビームの関連情報は、
前記基地局のＫ個のダウンリンク送信ビームのうち、所定の条件を満たすＮ個のダウンリンク送信ビームのＮ個の第１の識別子情報及び前記Ｎ個のダウンリンク送信ビームそれぞれに対応する受信情報であり、Ｎは１より大きいか等しいかつＫより小さいか等しい整数であることを特徴とする請求項３４に記載の端末。
【請求項３６】
前記受信情報は、
前記各ダウンリンク送信ビームに対応するダウンリンク受信ビームの識別子情報、または
前記各ダウンリンク送信ビームに対応するダウンリンク受信ビームのグループ情報、または
前記各ダウンリンク送信ビームに対応する受信指示情報であることを特徴とする請求項３５に記載の端末。
【請求項３７】
前記指示情報は、少なくとも１つの前記第１のダウンリンク受信ビームの少なくとも１つのインデックス情報、または少なくとも１つの前記第１のダウンリンク受信ビームの少なくとも１つの識別子情報、または少なくとも１つの前記第１のダウンリンク受信ビームの所在の少なくとも１つのグループの少なくとも１つのグループ識別子情報、または前記第１のダウンリンク送信ビームに対応する第１の受信指示情報を含むことを特徴とする請求項３３に記載の端末。
【請求項３８】
前記通知情報は、前記通知情報の有効時間、または少なくとも１つの前記第１のダウンリンク受信ビームに対応する時間ー周波数リソース位置を示す有効時間ー周波数リソース指示情報、または所定の期間内の少なくとも１つの前記第１のダウンリンク受信ビームと時間ー周波数リソース位置との間のマッピング関係を含むことを特徴とする請求項３７に記載の端末。
【請求項３９】
前記プロセッサは、
前記少なくとも１つのインデックス情報に基づき、少なくとも１つの前記第１のダウンリンク受信ビームを決定し、または
前記第１の受信指示情報に基づき、少なくとも１つの前記第１のダウンリンク受信ビームを決定し、または
前記少なくとも１つの識別子情報及び識別子情報とダウンリンク受信ビームとの間の対応関係に基づき、少なくとも１つの前記第１のダウンリンク受信ビームを決定し、または
前記少なくとも１つのインデックス情報または前記少なくとも１つの識別子情報に基づき、少なくとも１つの第２のダウンリンク受信ビームを決定し、Ｍ個のダウンリンク受信ビームから、前記少なくとも１つの第２のダウンリンク受信ビームとマッチングする少なくとも１つの受信ビームを少なくとも１つの前記第１のダウンリンク受信ビームとして決定し、または
前記少なくとも１つのグループ識別子情報に基づき、少なくとも１つのターゲットグループを決定し、前記少なくとも１つのターゲットグループの各グループから１つの第１のダウンリンク受信ビームを選択して、少なくとも１つの前記第１のダウンリンク受信ビームとすることを特徴とする請求項３８に記載の端末。
【請求項４０】
前記プロセッサは、
前記各グループから任意の１つのダウンリンク受信ビームを第１のダウンリンク受信ビームとして選択し、または
前記各グループから第２のグループ情報とマッチングするダウンリンク受信ビームを前記第１のダウンリンク受信ビームとして選択し、または
前記各グループ内の各ダウンリンク受信ビームに基づき、前記基地局により送信されたＲ個のトレーニング信号を受信し、前記端末は、前記各ダウンリンク受信ビームにより受信された受信トレーニング信号に基づき、前記各グループから所定規則を満たすダウンリンク受信ビームを前記第１のダウンリンク受信ビームとして選択することを特徴とする請求項３９に記載の端末。
【請求項４１】
プロセッサと、メモリと、送受信機とを備え、前記送受信機は前記プロセッサの制御下でデータを送受信し、前記メモリはプリセットしたプログラムを記憶し、
前記プロセッサは、前記メモリに記憶されたプログラムを読み出し、
端末により送信されたダウンリンクビームの関連情報を受信し、前記ダウンリンクビームの関連情報に基づき、第１のダウンリンク送信ビームを決定し、前記端末に前記第１のダウンリンク送信ビームと関連する通知情報を送信することにより、前記端末が前記通知情報に基づいて少なくとも１つの第１のダウンリンク受信ビームを決定するようにし、前記第１のダウンリンク送信ビームに基づいて、前記端末にダウンリンク信号を送信し、
前記通知情報は、前記端末が少なくとも１つの第１のダウンリンク受信ビームを決定するための指示情報を含むことを特徴とする基地局。
【請求項４２】
前記プロセッサは、
端末により送信されたダウンリンクビームの関連情報を受信する前、前記端末にＫ個のダウンリンク送信ビームトレーニング信号を送信し、Ｋは１より大きいか等しい整数であることを特徴とする請求項４１に記載の基地局。
【請求項４３】
前記ダウンリンクビームの関連情報は、
前記基地局のＫ個のダウンリンク送信ビームのうち、所定の条件を満たすＮ個のダウンリンク送信ビームのＮ個の第１の識別子情報と、前記Ｎ個のダウンリンク送信ビームそれぞれに対応する受信情報であり、Ｎは１より大きいか等しいかつＫより小さいか等しい整数であることを特徴とする請求項４２に記載の基地局。
【請求項４４】
前記受信情報は、
前記各ダウンリンク送信ビームに対応するダウンリンク受信ビームの識別子情報、または
前記各ダウンリンク送信ビームに対応するダウンリンク受信ビームのグループ情報、または
前記各ダウンリンク送信ビームに対応する受信指示情報であることを特徴とする請求項４３に記載の基地局。
【請求項４５】
前記指示情報は、少なくとも１つの前記第１のダウンリンク受信ビームの少なくとも１つのインデックス情報、または少なくとも１つの前記第１のダウンリンク受信ビームの少なくとも１つの識別子情報、または少なくとも１つの前記第１のダウンリンク受信ビームの所在の少なくとも１つのグループの少なくとも１つのグループ識別子情報、または前記第１のダウンリンク送信ビームに対応する第１の受信指示情報を含むことを特徴とする請求項４１に記載の基地局。
【請求項４６】
前記プロセッサは、
前記端末に前記通知情報を送信する必要があるかどうかを判定し、送信する必要があると判定される場合、前記端末に前記通知情報を送信することを特徴とする請求項４５に記載の基地局。
【請求項４７】
前記プロセッサは、
現在のダウンリンク送信ビームが前記第１のダウンリンク送信ビームと同じであるかどうかを判定し、同じではないと判定される場合、前記端末に前記通知情報を送信することを決定することを特徴とする請求項４６に記載の基地局。
【請求項４８】
前記通知情報は、前記通知情報の有効時間、または少なくとも１つの前記第１のダウンリンク受信ビームに対応する時間ー周波数リソース位置を示す有効時間ー周波数リソース指示情報、または所定の期間内の少なくとも１つの前記第１のダウンリンク受信ビームと時間ー周波数リソース位置との間のマッピング関係を含むことを特徴とする請求項４５または請求項４６に記載の基地局。
【発明の詳細な説明】
【技術分野】
【０００１】
関連出願の相互参照
本出願は、２０１６年９月３０日に中国特許局に提出し、出願番号が２０１６１０８７７２９６.４であり、発明名称が「アンテナビーム管理のための方法および関連装置」との中国特許出願を基礎とする優先権を主張し、その開示の総てをここに取り込む。
【０００２】
本発明は無線通信技術分野に関し、特にアンテナビーム管理のための方法および関連装置に関する。
【背景技術】
【０００３】
１、多入力多出力（Ｍｕｌｔｉｐｌｅ−Ｉｎｐｕｔ Ｍｕｌｔｉｐｌｅ−Ｏｕｔｐｕｔ，ＭＩＭＯ）技術の紹介
【０００４】
ＭＩＭＯ技術は、ピークレート、システムスペクトルの利用率の向上に重要であるため、ＬＴＥ（Ｌｏｎｇ Ｔｅｒｍ Ｅｖｏｌｕｔｉｏｎ）、ＬＴＥ-Ａｄｖａｎｃｅｄ（ＬＴＥ-Ａ）などの様々な無線アクセス技術規格は、ＭＩＭＯ技術および直交周波数分割多重（Ｏｒｔｈｏｇｏｎａｌ Ｆｒｅｑｕｅｎｃｙ Ｄｉｖｉｓｉｏｎ Ｍｕｌｔｉｐｌｅｘｉｎｇ，ＯＦＤＭ）技術に基づいて構築されている。ＭＩＭＯ技術の性能の利得は、マルチアンテナシステムで利用可能な空間的自由度からもたらされるので、標準化されているＭＩＭＯ技術の最も重要な進歩は、その次元の拡張である。
【０００５】
ＬＴＥ Ｒｅｌ―８では、最大４層のＭＩＭＯ送信をサポートすることができる。マルチユーザＭＩＭＯ（ＭＵ-ＭＩＭＯ）技術は、Ｒｅｌ―９において強化されているので、最大４つのダウンリンクデータ層が、送信モード（Ｔｒａｎｓｍｉｓｓｉｏｎ Ｍｏｄｅ，ＴＭ）８でのＭＵ-ＭＩＭＯ送信においてサポートされ得る。これにより、Ｒｅｌ-１０によってチャネル状態情報の空間分解能がさらに向上し、シングルユーザＭＩＭＩ（Ｓｉｎｇｌｅ−Ｕｓｅｒ ＭIＭO，ＳＵ-ＭＩＭＯ）の伝送容量が最大８データ層までさらに拡張される。全次元ＭＩＭＯ（ｆｕｌｌ ｄｉｍｅｎｓｉｏｎ，ＦＤ-ＭＩＭＯ）は、全次元および垂直ビームフォーミングを可能にするためにＲｅｌ-１３およびＲｅｌ-１４に導入されている。
【０００６】
２、大規模アンテナ技術の紹介
【０００７】
ＭＩＭＯ技術をさらに改善するために、大規模アンテナ技術が移動通信システムに導入されている。基地局の場合、全デジタルアンテナの大規模なアレイは、最大１２８／２５６／５１２個のアンテナ素子と、最大１２８／２５６／５１２個のトランシーバとを含むことができ、各アンテナ素子は１つのトランシーバと接続される。最大１２８／２５６／５１２のアンテナポートのパイロットが送信され、その結果、ＵＥはチャネル状態情報を測定してフィードバックする。端末では、最大３２／６４のアンテナ素子を含むアンテナアレイで構成することもできる。基地局側と端末側の両方でビームフォーミングにより経路損失から生じる信号減衰を補償するためにビームフォーミングの大きな利得を取得する。特に例えば３０ＧＨｚの周波数帯のような高周波帯での通信では、経路損失のために無線信号のカバレッジ領域が非常に限られている。大規模アンテナ技術を使用すると、無線信号のカバレッジエリアを実用的なエリアに拡張できる。
【０００８】
デジタルおよびアナログビームフォーミングを伴う送信機および受信機のアーキテクチャに対する解決策を用いて動作する。アナログビームフォーミングとハイブリッドデジタルビームフォーミングの両方とも、結果として生じるビームが反対側の通信端に向けられることができるように、送信機および受信機のアナログビームフォーミング重みに対する調整を必要とする。ダウンリンク送信では、基地局側で送信するためのビームフォーミング重みと、端末側で受信するためのビームフォーミング重みを調整する必要がある。一方、アップリンク送信では、端末で送信するためのビームフォーミング重みと、基地局で受信するためのビームフォーミング重みを調整する必要がある。ビームフォーミングの重みは通常、トレーニング信号を送信することによって得られる。ダウンリンク方向では、基地局はダウンリンクビームトレーニング信号を送信し、端末はダウンリンクビームトレーニング信号を測定し、最適な基地局送信ビームを選択し、そしてビーム関連情報を基地局にフィードバックする。また、端末は対応する最適受信ビームを選択し、それをローカルに格納する。アップリンク方向では、端末はアップリンクビームトレーニング信号を送信し、基地局はアップリンクビームトレーニング信号を測定し、最適な端末送信ビームを選択し、ビーム関連情報を端末に発送する。基地局はまた、対応する最適受信ビームを選択し、それをローカルに格納する。アップリンクおよびダウンリンクの送受信ビームトレーニングが終了した後にデータを送信することができる。
【０００９】
データが送信される前に、受信端が受信ビームを合理的に設定できるようにするために、送信端は送信ビーム関連情報を受信端に発送する。ダウンリンク送信の場合、送信端（基地局）内のアンテナのアレイは一般的により大きな規模を有し、より多数のビームがあり、したがって送信ビーム関連情報を通過させるための制御シグナリングのかなりのオーバーヘッドがある。
【００１０】
したがって、既存の大規模アンテナ技術では、ビーム管理のための制御シグナリングのオーバーヘッドをいかにして低減するかという問題に対処することが非常に望ましい。
【発明の概要】
【発明が解決しようとする課題】
【００１１】
本発明に係る実施例は、アンテナビーム管理のための方法および関連装置を提供し、既存の大規模アンテナ技術におけるビーム管理のための制御シグナリングのかなりのオーバーヘッドの問題点を解決する。
【課題を解決するための手段】
【００１２】
本発明の実施例に係る技術案は以下とおりである。
【００１３】
第１の態様によれば、本発明の実施例に係るアンテナビーム管理のための方法は、
端末は、基地局に前記端末のダウンリンクビームの関連情報を送信することにより、前記基地局が前記ダウンリンクビームの関連情報に基づいて第１のダウンリンク送信ビームを決定するようにするステップと、
前記端末は、前記基地局により送信された前記第１のダウンリンク送信ビームと関連する通知情報を受信するステップと、
前記端末は、前記通知情報に基づき、少なくとも１つの前記第１のダウンリンク受信ビームを決定するステップと、
前記端末は、少なくとも１つの前記第１のダウンリンク受信ビームに基づき、ダウンリンク信号を受信するステップとを備え、
前記通知情報は、前記端末が少なくとも１つの第１のダウンリンク受信ビームを決定するための指示情報を含む。
【００１４】
オプションとして、前記端末が、基地局に前記端末のダウンリンクビームの関連情報を送信する場合、
前記端末は、Ｍ個のダウンリンク受信ビームのうちの少なくとも１つのダウンリンク受信ビームに基づき、前記基地局により送信されたＫ個のダウンリンク送信ビームトレーニング信号を受信し、
前記端末は、前記少なくとも１つのダウンリンク受信ビームにより受信された受信信号に基づき、前記端末のダウンリンクビームの関連情報を決定し、
前記端末は、前記基地局に前記ダウンリンクビームの関連情報を送信し、
ここで、Ｍ、Ｋは１より大きいか等しい整数であり、ＫはＭより大きいか等しい。
【００１５】
オプションとして、前記ダウンリンクビームの関連情報は、
前記基地局のＫ個のダウンリンク送信ビームのうち、所定の条件を満たすＮ個のダウンリンク送信ビームのＮ個の第１の識別子情報及び前記Ｎ個のダウンリンク送信ビームそれぞれに対応する受信情報であり、ここで、Ｎは１より大きいか等しいかつＫより小さいか等しい整数である。
【００１６】
オプションとして、前記受信情報は、
前記各ダウンリンク送信ビームに対応するダウンリンク受信ビームの識別子情報、または
前記各ダウンリンク送信ビームに対応するダウンリンク受信ビームのグループ情報、または
前記各ダウンリンク送信ビームに対応する受信指示情報である。
【００１７】
オプションとして、前記指示情報は、少なくとも１つの前記第１のダウンリンク受信ビームの少なくとも１つのインデックス情報、または少なくとも１つの前記第１のダウンリンク受信ビームの少なくとも１つの識別子情報、または少なくとも１つの前記第１のダウンリンク受信ビームの所在の少なくとも１つのグループの少なくとも１つのグループ識別子情報、または前記第１のダウンリンク送信ビームに対応する第１の受信指示情報を含む。
【００１８】
オプションとして、前記通知情報は、前記通知情報の有効時間、または少なくとも１つの前記第１のダウンリンク受信ビームに対応する時間ー周波数リソース位置を示す有効時間ー周波数リソース指示情報、または所定の期間内の少なくとも１つの前記第１の受信ビームと時間ー周波数リソース位置との間のマッピング関係を含む。
【００１９】
オプションとして、前記端末は、前記通知情報に基づき、少なくとも１つの前記第１のダウンリンク受信ビームを決定する場合、
前記少なくとも１つのインデックス情報に基づき、少なくとも１つの前記第１のダウンリンク受信ビームを決定し、または
前記第１の受信指示情報に基づき、少なくとも１つの前記第１のダウンリンク受信ビームを決定し、または
前記少なくとも１つの識別子情報及び識別子情報とダウンリンク受信ビームとの間の対応関係に基づき、少なくとも１つの前記第１のダウンリンク受信ビームを決定し、または
前記少なくとも１つのインデックス情報または前記少なくとも１つの識別子情報に基づき、少なくとも１つの第２のダウンリンク受信ビームを決定し、前記Ｍ個のダウンリンク受信ビームから、前記少なくとも１つの第２のダウンリンク受信ビームとマッチングする少なくとも１つの受信ビームを少なくとも１つの前記第１のダウンリンク受信ビームとして決定し、または
前記少なくとも１つのグループ識別子情報に基づき、少なくとも１つのターゲットグループを決定し、前記少なくとも１つのターゲットグループの各グループから１つの第１のダウンリンク受信ビームを選択して、少なくとも１つの前記第１のダウンリンク受信ビームとする。
【００２０】
オプションとして、前記少なくとも１つのターゲットグループの各グループから１つの第１のダウンリンク受信ビームを選択する場合、
前記端末は、前記各グループから任意の１つのダウンリンク受信ビームを第１のダウンリンク受信ビームとして選択し、または
前記端末は、前記各グループから第２のグループ情報とマッチングするダウンリンク受信ビームを前記第１のダウンリンク受信ビームとして選択し、または
前記端末は、前記各グループ内の各ダウンリンク受信ビームに基づき、前記基地局により送信されたＲ個のトレーニング信号を受信し、前記端末は、前記各ダウンリンク受信ビームにより受信された受信トレーニング信号に基づき、前記各グループから所定規則を満たすダウンリンク受信ビームを前記第１のダウンリンク受信ビームとして選択する。
【００２１】
第２の態様によれば、本発明の実施例に係るアンテナビーム管理のための方法は、
基地局は、端末により送信されたダウンリンクビームの関連情報を受信するステップと、
前記基地局は、前記ダウンリンクビームの関連情報に基づき、第１のダウンリンク送信ビームを決定するステップと、
前記基地局は、前記端末に前記第１のダウンリンク送信ビームと関連する通知情報を送信することにより、前記端末が前記通知情報に基づいて少なくとも１つの第１のダウンリンク受信ビームを決定するようにするステップと、
前記基地局は、前記第１のダウンリンク送信ビームに基づいて、前記端末に前記ダウンリンク信号を送信するステップとを備え、
前記通知情報は、前記端末が少なくとも１つの第１のダウンリンク受信ビームを決定するための指示情報を含む。
【００２２】
オプションとして、前記基地局が端末により送信されたダウンリンクビームの関連情報を受信する前、前記方法では、前記基地局は、前記端末にＫ個のダウンリンク送信ビームトレーニング信号を送信し、Ｋは１より大きいか等しい整数である。
【００２３】
オプションとして、前記ダウンリンクビームの関連情報は、
前記基地局のＫ個のダウンリンク送信ビームのうち、所定の条件を満たすＮ個のダウンリンク送信ビームのＮ個の第１の識別子情報及び前記Ｎ個のダウンリンク送信ビームそれぞれに対応する受信情報であり、ここで、Ｎは１より大きいか等しいかつＫより小さいか等しい整数である。
【００２４】
オプションとして、前記受信情報は、
前記各ダウンリンク送信ビームに対応するダウンリンク受信ビームの識別子情報、または
前記各ダウンリンク送信ビームに対応するダウンリンク受信ビームのグループ情報、または
前記各ダウンリンク送信ビームに対応する受信指示情報である。
【００２５】
オプションとして、前記指示情報は、少なくとも１つの前記第１のダウンリンク受信ビームの少なくとも１つのインデックス情報、または少なくとも１つの前記第１のダウンリンク受信ビームの少なくとも１つの識別子情報、または少なくとも１つの前記第１のダウンリンク受信ビームの所在の少なくとも１つのグループの少なくとも１つのグループ識別子情報、または前記第１のダウンリンク送信ビームに対応する第１の受信指示情報を含む。
【００２６】
オプションとして、前記基地局は、前記端末に前記第１のダウンリンク送信ビームと関連する通知情報を送信する場合、
前記基地局は、前記端末に前記通知情報を送信する必要があるかどうかを判定し、
送信する必要があると判定される場合、前記端末に前記通知情報を送信する。
【００２７】
オプションとして、前記基地局は、前記端末に前記通知情報を送信する必要があるかどうかを判定する場合、
前記基地局は、現在のダウンリンク送信ビームが前記第１のダウンリンク送信ビームと同じであるかどうかを判定し、
同じではないと判定される場合、前記端末に前記通知情報を送信することを決定する。
【００２８】
オプションとして、前記通知情報は、前記通知情報の有効時間、または少なくとも１つの前記第１のダウンリンク受信ビームに対応する時間ー周波数リソース位置を示す有効時間ー周波数リソース指示情報、または所定の期間内の少なくとも１つの前記第１の受信ビームと時間ー周波数リソース位置との間のマッピング関係を含む。
【００２９】
第３の態様によれば、本発明の実施例に係る端末は、
基地局に前記端末のダウンリンクビームの関連情報を送信することにより、前記基地局が前記ダウンリンクビームの関連情報に基づいて第１のダウンリンク送信ビームを決定するようにする第１の送信モジュールと、
前記基地局により送信された前記第１のダウンリンク送信ビームと関連する通知情報を受信し、前記通知情報は、前記端末が少なくとも１つの第１のダウンリンク受信ビームを決定するための指示情報を含むように構成される、第１の受信モジュールと、
前記通知情報に基づき、少なくとも１つの前記第１のダウンリンク受信ビームを決定するように構成される、第１の決定モジュールと、
少なくとも１つの前記第１のダウンリンク受信ビームに基づき、ダウンリンク信号を受信するように構成される、第１の通信モジュールとを備える。
【００３０】
オプションとして、前記第１の送信モジュールは、
Ｍ個のダウンリンク受信ビームのうちの少なくとも１つのダウンリンク受信ビームに基づき、前記基地局により送信されたＫ個のダウンリンク送信ビームトレーニング信号を受信し、
前記少なくとも１つのダウンリンク受信ビームにより受信された受信信号に基づき、前記端末のダウンリンクビームの関連情報を決定し、
前記基地局に前記ダウンリンクビームの関連情報を送信し、
ここで、Ｍ、Ｋは１より大きいか等しい整数であり、ＫはＭより大きいか等しい。
【００３１】
オプションとして、前記ダウンリンクビームの関連情報は、
前記基地局のＫ個のダウンリンク送信ビームのうち、所定の条件を満たすＮ個のダウンリンク送信ビームのＮ個の第１の識別子情報及び前記Ｎ個のダウンリンク送信ビームそれぞれに対応する受信情報であり、ここで、Ｎは１より大きいか等しいかつＫより小さいか等しい整数である。
【００３２】
オプションとして、前記受信情報は、
前記各ダウンリンク送信ビームに対応するダウンリンク受信ビームの識別子情報、または
前記各ダウンリンク送信ビームに対応するダウンリンク受信ビームのグループ情報、または
前記各ダウンリンク送信ビームに対応する受信指示情報である。
【００３３】
オプションとして、前記指示情報は、少なくとも１つの前記第１のダウンリンク受信ビームの少なくとも１つのインデックス情報、または少なくとも１つの前記第１のダウンリンク受信ビームの少なくとも１つの識別子情報、または少なくとも１つの前記第１のダウンリンク受信ビームの所在の少なくとも１つのグループの少なくとも１つのグループ識別子情報、または前記第１のダウンリンク送信ビームに対応する第１の受信指示情報を含む。
【００３４】
オプションとして、前記通知情報は、前記通知情報の有効時間、または少なくとも１つの前記第１のダウンリンク受信ビームに対応する時間ー周波数リソース位置を示す有効時間ー周波数リソース指示情報、または所定の期間内の少なくとも１つの前記第１の受信ビームと時間ー周波数リソース位置との間のマッピング関係を含む。
【００３５】
オプションとして、前記第１の決定モジュールは、
前記少なくとも１つのインデックス情報に基づき、少なくとも１つの前記第１のダウンリンク受信ビームを決定し、または
前記第１の受信指示情報に基づき、少なくとも１つの前記第１のダウンリンク受信ビームを決定し、または
前記少なくとも１つの識別子情報及び識別子情報とダウンリンク受信ビームとの間の対応関係に基づき、少なくとも１つの前記第１のダウンリンク受信ビームを決定し、または
前記少なくとも１つのインデックス情報または前記少なくとも１つの識別子情報に基づき、少なくとも１つの第２のダウンリンク受信ビームを決定し、前記Ｍ個のダウンリンク受信ビームから、前記少なくとも１つの第２のダウンリンク受信ビームとマッチングする少なくとも１つの受信ビームを少なくとも１つの前記第１のダウンリンク受信ビームとして決定し、または
前記少なくとも１つのグループ識別子情報に基づき、少なくとも１つのターゲットグループを決定し、前記少なくとも１つのターゲットグループの各グループから１つの第１のダウンリンク受信ビームを選択して、少なくとも１つの前記第１のダウンリンク受信ビームとする。
【００３６】
オプションとして、前記第１の決定モジュールは、
前記各グループから任意の１つのダウンリンク受信ビームを第１のダウンリンク受信ビームとして選択し、または
前記各グループから第２のグループ情報とマッチングするダウンリンク受信ビームを前記第１のダウンリンク受信ビームとして選択し、または
前記各グループ内の各ダウンリンク受信ビームに基づき、前記基地局により送信されたＲ個のトレーニング信号を受信し、前記端末は、前記各ダウンリンク受信ビームにより受信された受信トレーニング信号に基づき、前記各グループから所定規則を満たすダウンリンク受信ビームを前記第１のダウンリンク受信ビームとして選択する。
【００３７】
第４の態様によれば、本発明の実施例に係る基地局は、
端末により送信されたダウンリンクビームの関連情報を受信するように構成される、第２の受信モジュールと、
前記ダウンリンクビームの関連情報に基づき、第１のダウンリンク送信ビームを決定するように構成される、第２の決定モジュールと、
前記端末に前記第１のダウンリンク送信ビームと関連する通知情報を送信することにより、前記端末が前記通知情報に基づいて少なくとも１つの第１のダウンリンク受信ビームを決定するようにする第２の送信モジュールと、
前記第１のダウンリンク送信ビームに基づいて、前記端末に前記ダウンリンク信号を送信するように構成される、第２の通信モジュールとを備え、
前記通知情報は、前記端末が少なくとも１つの第１のダウンリンク受信ビームを決定するための指示情報を含む。
【００３８】
オプションとして、前記基地局は、前記端末にＫ個のダウンリンク送信ビームトレーニング信号を送信する用に構成される、第３の送信モジュールをさらに備え、Ｋは１より大きいか等しい整数である。
【００３９】
オプションとして、前記ダウンリンクビームの関連情報は、
前記基地局のＫ個のダウンリンク送信ビームのうち、所定の条件を満たすＮ個のダウンリンク送信ビームのＮ個の第１の識別子情報及び前記Ｎ個のダウンリンク送信ビームそれぞれに対応する受信情報であり、ここで、Ｎは１より大きいか等しいかつＫより小さいか等しい整数である。
【００４０】
オプションとして、前記受信情報は、
前記各ダウンリンク送信ビームに対応するダウンリンク受信ビームの識別子情報、または
前記各ダウンリンク送信ビームに対応するダウンリンク受信ビームのグループ情報、または
前記各ダウンリンク送信ビームに対応する受信指示情報である。
【００４１】
オプションとして、前記指示情報は、少なくとも１つの前記第１のダウンリンク受信ビームの少なくとも１つのインデックス情報、または少なくとも１つの前記第１のダウンリンク受信ビームの少なくとも１つの識別子情報、または少なくとも１つの前記第１のダウンリンク受信ビームの所在の少なくとも１つのグループの少なくとも１つのグループ識別子情報、または前記第１のダウンリンク送信ビームに対応する第１の受信指示情報を含む。
【００４２】
オプションとして、前記第２の送信モジュールは、
前記端末に前記通知情報を送信する必要があるかどうかを判定し、
送信する必要があると判定される場合、前記端末に前記通知情報を送信する。
【００４３】
オプションとして、前記第２の決定モジュールは、
現在のダウンリンク送信ビームが前記第１のダウンリンク送信ビームと同じであるかどうかを判定し、
同じではないと判定される場合、前記端末に前記通知情報を送信することを決定する。
【００４４】
オプションとして、前記通知情報は、前記通知情報の有効時間、または少なくとも１つの前記第１のダウンリンク受信ビームに対応する時間ー周波数リソース位置を示す有効時間ー周波数リソース指示情報、または所定の期間内の少なくとも１つの前記第１の受信ビームと時間ー周波数リソース位置との間のマッピング関係を含む。
【００４５】
第５の態様によれば、本発明の実施例に係る端末は、プロセッサと、メモリと、送受信機とを備え、前記送受信機は、プロセッサの制御下でデータを送受信し、メモリはプリセットしたプログラムを記憶し、
前記プロセッサは、メモリに記憶されたプログラムを読み出し、送受信機により、基地局に前記端末のダウンリンクビームの関連情報を送信することにより、前記基地局が前記ダウンリンクビームの関連情報に基づいて第１のダウンリンク送信ビームを決定するようにし、
送受信機により、前記基地局により送信された前記第１のダウンリンク送信ビームと関連する通知情報を受信し、
プロセッサは、前記通知情報に基づき、少なくとも１つの前記第１のダウンリンク受信ビームを決定し、
プロセッサは、送受信機により、少なくとも１つの前記第１のダウンリンク受信ビームに基づき、ダウンリンク信号を受信し、
前記通知情報は、前記端末が少なくとも１つの第１のダウンリンク受信ビームを決定するための指示情報を含む。
【００４６】
オプションとして、プロセッサは、送受信機により、Ｍ個のダウンリンク受信ビームのうちの少なくとも１つのダウンリンク受信ビームに基づき、前記基地局により送信されたＫ個のダウンリンク送信ビームトレーニング信号を受信し、前記少なくとも１つのダウンリンク受信ビームにより受信された受信信号に基づき、前記端末のダウンリンクビームの関連情報を決定し、送受信機により、前記基地局に前記ダウンリンクビームの関連情報を送信し、ここで、Ｍ、Ｋは１より大きいか等しい整数であり、ＫはＭより大きいか等しい。
【００４７】
オプションとして、前記ダウンリンクビームの関連情報は、
前記基地局のＫ個のダウンリンク送信ビームのうち、所定の条件を満たすＮ個のダウンリンク送信ビームのＮ個の第１の識別子情報及び前記Ｎ個のダウンリンク送信ビームそれぞれに対応する受信情報であり、ここで、Ｎは１より大きいか等しいかつＫより小さいか等しい整数である。
【００４８】
オプションとして、前記受信情報は、
前記各ダウンリンク送信ビームに対応するダウンリンク受信ビームの識別子情報、または
前記各ダウンリンク送信ビームに対応するダウンリンク受信ビームのグループ情報、または
前記各ダウンリンク送信ビームに対応する受信指示情報である。
【００４９】
オプションとして、前記指示情報は、少なくとも１つの前記第１のダウンリンク受信ビームの少なくとも１つのインデックス情報、または少なくとも１つの前記第１のダウンリンク受信ビームの少なくとも１つの識別子情報、または少なくとも１つの前記第１のダウンリンク受信ビームの所在の少なくとも１つのグループの少なくとも１つのグループ識別子情報、または前記第１のダウンリンク送信ビームに対応する第１の受信指示情報を含む。
【００５０】
オプションとして、前記通知情報は、前記通知情報の有効時間、または少なくとも１つの前記第１のダウンリンク受信ビームに対応する時間ー周波数リソース位置を示す有効時間ー周波数リソース指示情報、または所定の期間内の少なくとも１つの前記第１の受信ビームと時間ー周波数リソース位置との間のマッピング関係を含む。
【００５１】
オプションとして、プロセッサは、前記少なくとも１つのインデックス情報に基づき、少なくとも１つの前記第１のダウンリンク受信ビームを決定し、または
プロセッサは、前記第１の受信指示情報に基づき、少なくとも１つの前記第１のダウンリンク受信ビームを決定し、または
プロセッサは、前記少なくとも１つの識別子情報及び識別子情報とダウンリンク受信ビームとの間の対応関係に基づき、少なくとも１つの前記第１のダウンリンク受信ビームを決定し、または
プロセッサは、前記少なくとも１つのインデックス情報または前記少なくとも１つの識別子情報に基づき、少なくとも１つの第２のダウンリンク受信ビームを決定し、前記Ｍ個のダウンリンク受信ビームから、前記少なくとも１つの第２のダウンリンク受信ビームとマッチングする少なくとも１つの受信ビームを少なくとも１つの前記第１のダウンリンク受信ビームとして決定し、または
プロセッサは、前記少なくとも１つのグループ識別子情報に基づき、少なくとも１つのターゲットグループを決定し、前記少なくとも１つのターゲットグループの各グループから１つの第１のダウンリンク受信ビームを選択して、少なくとも１つの前記第１のダウンリンク受信ビームとする。
【００５２】
オプションとして、プロセッサは、前記各グループから任意の１つのダウンリンク受信ビームを第１のダウンリンク受信ビームとして選択し、または
プロセッサは、前記各グループから第２のグループ情報とマッチングするダウンリンク受信ビームを前記第１のダウンリンク受信ビームとして選択し、または
プロセッサは、前記各グループ内の各ダウンリンク受信ビームに基づき、前記基地局により送信されたＲ個のトレーニング信号を受信し、前記端末は、前記各ダウンリンク受信ビームにより受信された受信トレーニング信号に基づき、前記各グループから所定規則を満たすダウンリンク受信ビームを前記第１のダウンリンク受信ビームとして選択する。
【００５３】
第６の態様によれば、本発明の実施例に係る基地局は、プロセッサと、メモリと、送受信機とを備え、ここで、送受信機は、プロセッサの制御下でデータを送受信し、メモリはプリセットしたプログラムを記憶し、プロセッサは、メモリに記憶されたプログラムを読み出し、
送受信機により、端末により送信されたダウンリンクビームの関連情報を受信し、
プロセッサは、前記ダウンリンクビームの関連情報に基づき、第１のダウンリンク送信ビームを決定し、
送受信機により、前記端末に前記第１のダウンリンク送信ビームと関連する通知情報を送信することにより、前記端末が前記通知情報に基づいて少なくとも１つの第１のダウンリンク受信ビームを決定するようにし、前記通知情報は、前記端末が少なくとも１つの第１のダウンリンク受信ビームを決定するための指示情報を含み、
プロセッサは、送受信機により、前記第１のダウンリンク送信ビームに基づいて、前記端末に前記ダウンリンク信号を送信する。
【００５４】
オプションとして、プロセッサは、送受信機により、端末によって送信されたダウンリンクビームの関連情報を受信する前、プロセッサは、送受信機により、前記端末にＫ個のダウンリンク送信ビームトレーニング信号を送信し、Ｋは１より大きいか等しい整数である。
【００５５】
オプションとして、前記ダウンリンクビームの関連情報は、
前記基地局のＫ個のダウンリンク送信ビームのうち、所定の条件を満たすＮ個のダウンリンク送信ビームのＮ個の第１の識別子情報及び前記Ｎ個のダウンリンク送信ビームそれぞれに対応する受信情報であり、ここで、Ｎは１より大きいか等しいかつＫより小さいか等しい整数である。
【００５６】
オプションとして、前記受信情報は、
前記各ダウンリンク送信ビームに対応するダウンリンク受信ビームの識別子情報、または
前記各ダウンリンク送信ビームに対応するダウンリンク受信ビームのグループ情報、または
前記各ダウンリンク送信ビームに対応する受信指示情報である。
【００５７】
オプションとして、前記指示情報は、少なくとも１つの前記第１のダウンリンク受信ビームの少なくとも１つのインデックス情報、または少なくとも１つの前記第１のダウンリンク受信ビームの少なくとも１つの識別子情報、または少なくとも１つの前記第１のダウンリンク受信ビームの所在の少なくとも１つのグループの少なくとも１つのグループ識別子情報、または前記第１のダウンリンク送信ビームに対応する第１の受信指示情報を含む。
【００５８】
オプションとして、プロセッサは、前記端末に前記通知情報を送信する必要があるかどうかを判定し、送信する必要があると判定される場合、送受信機により、前記端末に前記通知情報を送信する。
【００５９】
オプションとして、プロセッサは、現在のダウンリンク送信ビームが前記第１のダウンリンク送信ビームと同じであるかどうかを判定し、同じではないと判定される場合、前記端末に前記通知情報を送信することを決定する。
【００６０】
オプションとして、前記通知情報は、前記通知情報の有効時間、または少なくとも１つの前記第１のダウンリンク受信ビームに対応する時間ー周波数リソース位置を示す有効時間ー周波数リソース指示情報、または所定の期間内の少なくとも１つの前記第１の受信ビームと時間ー周波数リソース位置との間のマッピング関係を含む。
【発明の効果】
【００６１】
上述の技術案によれば、本発明に係る実施例では、端末は、基地局に前記端末のダウンリンクビームの関連情報を送信することにより、前記基地局が前記ダウンリンクビームの関連情報に基づいて第１のダウンリンク送信ビームを決定するようにし、前記端末は、前記基地局により送信された前記第１のダウンリンク送信ビームと関連する通知情報を受信し、前記通知情報は、前記端末が少なくとも１つの第１のダウンリンク受信ビームを決定するための指示情報を含む。前記端末は、前記通知情報に基づき、少なくとも１つの前記第１のダウンリンク受信ビームを決定し、前記端末は、少なくとも１つの前記第１のダウンリンク受信ビームに基づき、ダウンリンク信号を受信し、その結果、ビームは、端末の受信ビームに基づいて管理および制御され、端末の受信ビームの数は基地局の送信ビームの数より少ない。したがって、端末と基地局との間で転送されるダウンリンクビームの関連情報の量も減少させることができ、それによって制御シグナリングのオーバーヘッドを大幅に低減し、既存の大規模アンテナ技術におけるビーム管理のための制御シグナリングのかなりのオーバーヘッドの問題点を解決する。
【図面の簡単な説明】
【００６２】
【図１】従来技術におけるハイブリッドデジタルおよびアナログビームフォーミングを伴う送信機および受信機のアーキテクチャの概略図である
【図２】本発明に係る実施例による端末によるビーム管理の概略フローチャートである。
【図３】本発明に係る実施例による基地局によるビーム管理の概略フローチャートである。
【図４】本発明に係る実施例による端末の構成図である。
【図５】本発明に係る実施例による基地局の構成図である。
【図６】本発明に係る実施例による他の端末の構成図である。
【図７】本発明に係る実施例による他の基地局の構成図である。
【発明を実施するための形態】
【００６３】
本発明の実施例における目的、技術方案と利点を明確にするため、以下に本発明の実施例における図と結合して本発明の実施例における技術方案の詳細を明確に、完全に説明する。当然、記載の実施例は本発明の実施例の一部に過ぎず、全ての実施例ではない。本発明における実施例にもとづき、当業者は、創造性作業を行わないことを前提として、取得したその他の実施例は、本発明の保護範囲に属する
【００６４】
実施例１
【００６５】
本発明に係る実施例では、図２に示すように、端末は、具体的には以下のようにビームを管理する。
【００６６】
ステップ１０１において、端末は、基地局に前記端末のダウンリンクビームの関連情報を送信することにより、前記基地局が前記ダウンリンクビームの関連情報に基づいて第１のダウンリンク送信ビームを決定するようにする。
【００６７】
本発明に係る実施例では、ステップ１０１の特定の実施は以下の通りである。
【００６８】
前記端末は、Ｍ個のダウンリンク受信ビームのうちの少なくとも１つのダウンリンク受信ビームに基づき、前記基地局により送信されたＫ個のダウンリンク送信ビームトレーニング信号を受信する。
【００６９】
前記端末は、前記少なくとも１つのダウンリンク受信ビームにより受信された受信信号に基づき、前記端末のダウンリンクビームの関連情報を決定する。
【００７０】
前記端末は、前記基地局に前記ダウンリンクビームの関連情報を送信する。
【００７１】
ここで、Ｍ、Ｋは１より大きいか等しい整数であり、ＫはＭより大きいか等しい。
【００７２】
具体的には、端末は、まず自身の受信ビーム数Ｍを基地局に報告する。端末は合計Ｍ個の受信ビームを有し、ここで、各受信ビームは１グループのビームフォーミング重みに対応し、例えば、ｎ番目のビームの受信ビームフォーミング重みは、
【００７３】
【数１】
2019531656.tif 000003
【００７４】
である。ここで、Ｌはビームのアンテナ素子の数である。端末のアンテナ素子の数よりも少なくすることができる。各受信ビームは、１つの空間内の方向に対応する。
【００７５】
基地局が、端末によって報告された受信ビーム数を受信した後、端末は、基地局によって送信されたダウンリンクビームトレーニング信号を受信する。基地局は、全部でＫ個の候補ダウンリンク送信ビームを有し、各ダウンリンクビームは１グループのビームフォーミング重みに対応し、例えば、ｎ番目のビームの送信ビームフォーミング重みは、
【００７６】
【数２】
2019531656.tif 000004
【００７７】
である。ここで、kはビームフォーミングのアンテナ素子の数であり、基地局のアンテナ素子の数よりも少なくすることができる。
【００７８】
基地局は、各ダウンリンク送信ビーム候補ごとに１つのビームトレーニング信号を送信することができ、各ビームのビームトレーニング信号は、当該ビームに対応するビームフォーミング重みを使用してビームフォーミングされた後に送信される。例えば、Ｋ個のダウンリンク送信ビームの場合、基地局はＫ個のトレーニング信号を送信することができ、これらのＫ個のトレーニング信号は時分割多重（Ｔｉｍｅ Ｄｉｖｉｓｉｏｎ Ｍｕｌｔｉｐｌｅｘｉｎｇ，ＴＤＭ）モード、周波数分割多重（Ｆｒｅｑｕｅｎｃｙ Ｄｉｖｉｓｉｏｎ Ｍｕｌｔｉｐｌｅｘｉｎｇ，ＦＤＭ）モード、シンボル分割多重（Ｃｏｄｅ Ｄｉｖｉｓｉｏｎ Ｍｕｌｔｉｐｌｅｘｉｎｇ，ＣＤＭ）モード、またはその組み合わせとすることができる。例えば、ＯＦＤＭベースのシステムでは、Ｋ個のトレーニング信号はＫ個のＯＦＤＭシンボルを占有することができ、各トレーニング信号はＯＦＤＭシンボルの１つを占有し、トレーニング信号はＴＤＭモードで適用される。あるいは、複数のビームトレーニング信号をＯＦＤＭシンボルで送信することができ、ここで、それらはＦＤＭまたはＣＤＭモードで適用される。ビームトレーニング信号は、周期的に送信することも、非周期的に送信することもできるが、本発明の実施形態はそれに限定されない。
【００７９】
端末は、Ｍ個の受信ビームのうちの１つまたは複数を使用して基地局によって送信されたダウンリンクビームトレーニング信号を受信し、次いで受信したビームトレーニング信号を測定し、さらに条件を満たすＮ個のダウンリンク送信ビームを決定する。具体的には、前記条件は、受信したビームトレーニング信号の電力が最高であること、または受信したビームトレーニング信号の電力が所定の閾値を上回ることであり得、前記所定の閾値は基地局と端末との間で合意され得る。例えば、プロトコルで規定されるか、または、シグナリングを介して端末のために基地局によって構成されることができる。もちろん、前記条件は、信号対干渉雑音比、信号対雑音比、または受信ビームトレーニング信号の別のパラメータに関連する条件でもよいが、本発明の実施形態はそれに限定されない。もちろん、前記条件は基地局に対応するすべてのダウンリンク送信ビームに関連することもでき、このときＮはＫに等しく、すなわちＮ個のダウンリンク送信ビームは基地局のすべてのダウンリンク送信ビームである。
【００８０】
端末がＮ個のダウンリンク送信ビームを決定した後、端末は、Ｎ個のダウンリンク送信ビームのそれぞれに対応する受信ビームを決定する必要がある。具体的には、ダウンリンクビームトレーニング信号の場合、端末は、各受信ビームを使用してそれをそれぞれ受信することを試み、受信信号の最大電力を有する受信ビームをダウンリンク送信ビームの受信ビームとして選択することができる。もちろん、端末は、信号対干渉雑音比、信号対雑音比、または受信信号の他のパラメータに従って最適受信ビームを選択することができるが、本発明の実施形態はそれに限定されない。
【００８１】
端末がＮ個のダウンリンク送信ビーム、およびそれらの対応する受信ビームを決定した後、端末は、基地局にＮ個のダウンリンク送信ビーム及びそれの対応の受信情報をフィードバックする。
【００８２】
本発明に係る実施例では、前記ダウンリンクビームの関連情報は、前記基地局のＫ個のダウンリンク送信ビームのうち、所定の条件を満たすＮ個のダウンリンク送信ビームのＮ個の第１の識別子情報及び前記Ｎ個のダウンリンク送信ビームそれぞれに対応する受信情報である。ここで、Ｎは１より大きいか等しいかつＫより小さいか等しい整数である。
【００８３】
本発明に係る実施例では、前記受信情報は、前記各ダウンリンク送信ビームに対応するダウンリンク受信ビームの識別子情報であるか、または前記各ダウンリンク送信ビームに対応する受信指示情報である。
【００８４】
具体的には、端末は、Ｎ個のダウンリンク送信ビームの識別子情報および各ダウンリンク送信ビームに対応する受信ビームの識別子情報を基地局に送信することができる。または、Ｎ個のダウンリンク送信ビームの識別子情報及び各ダウンリンク送信ビームに対応する受信指示情報を基地局に送信することができる。前記Ｎ個のダウンリンク送信ビームの識別子情報はそれらのインデックスとすることができ、あるいはダウンリンク送信ビームまたはダウンリンク送信ビームトレーニング信号の異なる多重化モードに従って異なる情報をフィードバックすることができる。例えば、ダウンリンクビームフォーミング信号は時分割多重化モードにおいて異なるＯＦＤＭシンボルまたはサブフレームに適用され、端末は、決定されたＮ個のダウンリンク送信ビームのダウンリンク時間情報（ＯＦＤＭ ｓｙｍｂｏｌまたはｓｕｂｆｒａｍｅ ｉｎｄｅｘ）を測定してフィードバックする。別の例では、ダウンリンクビームフォーミング信号は、周波数分割多重モードで異なる周波数リソース(ＰＲＢ，ｓｕｂｂａｎｄ)の間で適用され、端末は、決定されたＮ個のダウンリンク送信ビームのダウンリンク周波数情報（ＰＲＢ ｏｒ ｓｕｂｂａｎｄ ｉｎｄｅｘ）を測定してフィードバックする。受信情報は、端末によって受信されたダウンリンク送信ビームトレーニング信号の強度、例えば受信信号電力レベルなどをさらに含むことができる。前記受信ビームの識別子情報は０からＭの範囲である。
【００８５】
例えば、端末は、３つのダウンリンク送信ビームｘ０,ｘ１,ｘ２とそれらの対応する受信ビームｙ０，ｙ１，ｙ２との間の対応関係を表１に示すように基地局に報告する。
【００８６】
【表１】
2019531656.tif 000005
【００８７】
または、端末は、表２に示すように基地局に、各ダウンリンク送信ビームに対応する受信ビームの識別子情報を報告する。ここで説明される各ダウンリンク送信ビームは、Ｎ個のダウンリンク送信ビームのうちの任意の１つを指し、以下同じことが当てはまる。
【００８８】
【表２】
2019531656.tif 000006
【００８９】
また、端末は、通知された各ダウンリンク送信ビームに対応するダウンリンク受信ビームと当該ダウンリンク送信ビームに対応するダウンリンク受信ビーム識別子との間のマッピング関係を格納する。
【００９０】
または、端末は、ある閾値を超える受信信号電力を有するダウンリンク送信ビームの識別子及び表３に示されるようなそれらの対応する受信ビームの識別子情報を基地局に報告する。
【００９１】
【表３】
2019531656.tif 000007
【００９２】
または、端末は、各ダウンリンク送信ビームに対応するダウンリンク受信ビームに従って各ダウンリンク送信ビームの受信指示情報を決定し、端末は、表４に示すように、各ダウンリンク送信ビームに対応する受信指示情報を基地局に報告する。
【００９３】
【表４】
2019531656.tif 000008
【００９４】
ダウンリンク受信ビームと受信インジケータとの間にマッピング関係があり、端末は、ダウンリンク受信ビームと受信インジケータとの間のマッピング関係を格納する。
【００９５】
上記のステップが実行された後、本発明に係る実施例による方法のフローはステップ１０２に進み、すなわち、前記端末は、前記基地局により送信された前記第１のダウンリンク送信ビームと関連する通知情報を受信し、前記通知情報は、前記端末が少なくとも１つの第１のダウンリンク受信ビームを決定するための指示情報を含む。
【００９６】
具体的には、端末が基地局に情報を報告した後、基地局は、端末によって報告された情報に従って、端末にダウンリンク信号を送信するためのダウンリンク送信ビームを決定し、対応の受信ビームの決定のための、指示情報を含む通知情報を端末に送信する。
【００９７】
本発明に係る実施例では、前記指示情報は、少なくとも１つの前記第１のダウンリンク受信ビームの少なくとも１つのインデックス情報または少なくとも１つの前記第１のダウンリンク受信ビームの少なくとも１つの識別子情報または前記第１のダウンリンク送信ビームに対応する第１の受信指示情報である。
【００９８】
本発明に係る実施例では、前記通知情報は、前記通知情報の有効時間、または少なくとも１つの前記第１のダウンリンク受信ビームに対応する時間ー周波数リソース位置を示す有効時間ー周波数リソース指示情報、または所定の期間内の少なくとも１つの前記第１の受信ビームと時間ー周波数リソース位置との間のマッピング関係を含む。
【００９９】
具体的には、通知の有効時間とは、通知を受信した時間＋時間間隔（時間間隔は０であってもよい、すなわち、通知が受信されるとすぐに確認される）を指す。時間間隔が固定されているか、または時間間隔に関する情報が通知に含まれている。または、ビーム切り替え通知情報は、有効時間ー周波数リソースの指示情報、すなわち端末がターゲットビームを適用する時間ー周波数リソース位置位置をさらに示す情報。を含む。例えば、端末がどちらのサブフレーム（ＰＲＢ/サブバンド）において当該ターゲット受信ビームで受信するかを示す。
【０１００】
複数の受信ビームが存在する可能性があるので、このとき、端末は、何らかの規則の下で、複数の受信ビームを異なる時間ー周波数リソースに適用する必要がある。例えば、Ｔ個のビームはＴ個のサブフレーム（またはＯＦＤＭシンボルまたは他の時間単位）で使用され、データはビームの１つを使用して各サブフレームで受信され、ビームはＴ個のサブフレームの周期で循環する。あるいは、データは、異なるビームを使用してサブフレーム内の異なる周波数リソースにおいて受信することができる。対応して、基地局により送信されたビーム切り替え通知情報は、ある期間におけるビームと時間ー周波数リソースとの間のマッピング関係、すなわちビームパターンをさらに含むことができる。
【０１０１】
上記のステップが実行された後、本発明に係る実施例による方法のフローはステップ１０３に進み、すなわち、前記端末は、前記通知情報に基づき、少なくとも１つの前記第１のダウンリンク受信ビームを決定する。
【０１０２】
本発明に係る実施例では、ステップ１０３の特定の実施は以下の通りである。
【０１０３】
前記少なくとも１つのインデックス情報に基づき、少なくとも１つの前記第１のダウンリンク受信ビームを決定する。
【０１０４】
または、前記第１の受信指示情報に基づき、少なくとも１つの前記第１のダウンリンク受信ビームを決定する。
【０１０５】
または、前記少なくとも１つの識別子情報及び識別子情報とダウンリンク受信ビームとの間の対応関係に基づき、少なくとも１つの前記第１のダウンリンク受信ビームを決定する。
【０１０６】
または、前記少なくとも１つのインデックス情報または前記少なくとも１つの識別子情報に基づき、少なくとも１つの第２のダウンリンク受信ビームを決定し、前記Ｍ個のダウンリンク受信ビームから、前記少なくとも１つの第２のダウンリンク受信ビームとマッチングする少なくとも１つの受信ビームを少なくとも１つの前記第１のダウンリンク受信ビームとして決定する。
【０１０７】
具体的には、端末は、通知情報が有効になった後、通知情報内のインデックス情報に従って、対応する受信ビームを直接決定することができる。または、通知情報内の識別子情報及び、端末に格納された識別子情報と受信ビームとの間の１対１の対応関係に従って、識別子情報に対応するビームを第１の受信ビームとして決定することができる。または、まず、インデックス情報または識別子情報に従って対応するダウンリンク受信ビームを決定し、次にダウンリンク受信ビームの「近く」で第１の受信ビームとして使用されるより最適な受信ビームを検索することができる。ここで、ビームが他のビームの「近く」にあるかは、相関に従って判断することができる。例えば、ビームフォーミング重みの相関がある閾値を超えているビームなどのそれらの相関に従って、または空間内の角度のそれらの差に従ってビームが他のビームの近くにあると決定することができる。例えば、空間内の角度の差がある閾値以下のビーム。または、第１の受信指示情報及び端末に格納された受信指示情報と受信ビームとの間のマッピング関係に基づいて、前記受信指示情報に対応するダウンリンク受信ビームを第１のダウンリンク受信ビームとして決定することができる。
【０１０８】
上記のステップが実行された後、本発明に係る実施例による方法のフローはステップ１０４に進み、すなわち、前記端末は、少なくとも１つの前記第１のダウンリンク受信ビームに基づき、ダウンリンク信号を受信する。
【０１０９】
具体的には、端末及び基地局がダウンリンク送信ビーム及びダウンリンク受信ビームを決定した後に、ダウンリンク信号を送信することができる。
【０１１０】
実施例２
【０１１１】
本発明に係る実施例では、図２に示すように、端末は、具体的には以下のようにビームを管理する。
【０１１２】
ステップ１０１において、端末は、基地局に前記端末のダウンリンクビームの関連情報を送信することにより、前記基地局が前記ダウンリンクビームの関連情報に基づいて第１のダウンリンク送信ビームを決定するようにする。
【０１１３】
本発明に係る実施例では、ステップ１０１の特定の実施は以下の通りである。
【０１１４】
前記端末は、Ｍ個のダウンリンク受信ビームのうちの少なくとも１つのダウンリンク受信ビームに基づき、前記基地局により送信されたＫ個のダウンリンク送信ビームトレーニング信号を受信する。
【０１１５】
前記端末は、前記少なくとも１つのダウンリンク受信ビームにより受信された受信信号に基づき、前記端末のダウンリンクビームの関連情報を決定する。
【０１１６】
前記端末は、前記基地局に前記ダウンリンクビームの関連情報を送信する。
【０１１７】
ここで、Ｍ、Ｋは１より大きいか等しい整数であり、ＫはＭより大きいか等しい。
【０１１８】
具体的には、端末は最初にそのＭ個の受信ビームをグループ化し、例えば、Ｍ個の受信ビームはそれらの相関に従ってグループ化される。相関がある閾値より高いビームを１グループとする。または、Ｍ個の受信ビームが空間内のそれらの指向性に従ってグループ化され、空間内のそれらの指向性がある範囲内にあるビームを１グループにする。そして、端末は、その受信ビームのグループ数を基地局に報告する。
【０１１９】
基地局が端末によって報告された受信ビームのグループの数を受信した後、端末は、基地局によって送信されたダウンリンクビームトレーニング信号を受信する。ここで、ダウンリンク送信ビームトレーニング信号の送信及び関連パラメータについては、実施例１で説明したのと同様であるので、ここでの詳細な説明は省略する。
【０１２０】
端末は、複数の受信ビームグループのうちの１つまたは複数を使用して基地局によって送信されたダウンリンクビームトレーニング信号を受信し、次に受信したビームトレーニング信号を測定し、さらに条件を満たすＮ個のダウンリンク送信ビームを決定することができる。具体的には、前記条件は、ビームのグループ受信したビームトレーニング信号の電力が最高であること、または１グループのビームを使用して受信されたビームトレーニング信号の電力が所定の閾値を上回ることであり得る。前記所定の閾値は基地局と端末との間で合意され得る。例えば、プロトコルで規定されるか、またはシグナリングを介して端末のために基地局によって構成されることができる。もちろん、もちろん、前記条件は、信号対干渉雑音比、信号対雑音比、または１グループのビームを使用して受信されたビームトレーニング信号の別のパラメータに関連した条件であってもよいが、本発明の実施形態はそれに限定されない。もちろん、前記条件は基地局に対応するすべてのダウンリンク送信ビームに関連することもでき、このときＮはＫに等しく、すなわちＮ個のダウンリンク送信ビームは基地局のすべてのダウンリンク送信ビームである。
【０１２１】
端末がＮ個のダウンリンク送信ビームを決定した後、端末は、Ｎ個のダウンリンク送信ビームのそれぞれに対応する受信ビームグループを決定する必要がある。具体的には、ダウンリンクビームトレーニング信号の場合、端末は、各受信ビームグループを用いてそれぞれ受信を試みることができ、受信信号電力が最も大きい受信ビームのグループを当該ダウンリンク送信ビームに対応する受信ビームのグループとして選択することができる。もちろん、端末は、信号対干渉雑音比、信号対雑音比、または受信信号の他のパラメータに従って最適受信ビームを選択することができるが、本発明の実施形態はそれに限定されない。
【０１２２】
端末がＮ個のダウンリンク送信ビーム及び対応の受信ビームのグループを決定した後、端末は、Ｎ個のダウンリンク送信ビーム、およびそれらの対応する受信ビームグループに関する情報を基地局にフィードバックする。
【０１２３】
本発明に係る実施例では、前記ダウンリンクビームの関連情報は、前記基地局のＫ個のダウンリンク送信ビームのうち、所定の条件を満たすＮ個のダウンリンク送信ビームのＮ個の第１の識別子情報及び前記Ｎ個のダウンリンク送信ビームそれぞれに対応する受信情報であり、ここで、Ｎは１より大きいか等しいかつＫより小さいか等しい整数である。
【０１２４】
本発明に係る実施例では、前記受信情報は、前記各ダウンリンク送信ビームに対応するダウンリンク受信ビームのグループ情報である。
【０１２５】
具体的には、端末は、Ｎ個のダウンリンク送信ビームの識別子情報および各ダウンリンク送信ビームに対応する受信ビームのグループの識別子情報を基地局に送信する。前記Ｎ個のダウンリンク送信ビームの識別子情報は、実施例１で説明したものと同じであるため、ここでの詳細な説明は省略する。端末は、は合計でＳ個の受信ビームグループを有するので、受信ビームグループの識別子は０からＳの範囲である。
【０１２６】
例えば、端末は、表５に示すように、３つのダウンリンク送信ビームｘ０,ｘ１,ｘ２とそれらの対応する受信ビームのグループｚ０, ｚ１, ｚ２との間の対応関係を基地局に報告する。
【０１２７】
【表５】
2019531656.tif 000009
【０１２８】
または、端末は、各ダウンリンク送信ビームに対応する受信ビームの識別子情報を基地局に報告するか、または、端末は、ある閾値を越える受信信号電力を有するダウンリンク送信ビームの識別子及びそれらの対応する受信ビームの識別子情報を基地局に報告する。
【０１２９】
上記のステップが実行された後、本発明に係る実施例による方法のフローはステップ１０２に進み、すなわち、前記端末は、前記基地局により送信された前記第１のダウンリンク送信ビームと関連する通知情報を受信し、前記通知情報は、前記端末が少なくとも１つの第１のダウンリンク受信ビームを決定するための指示情報を含む。
【０１３０】
具体的には、端末がが上記の情報を基地局に報告した後、基地局は、端末によって報告された情報に従って、端末にダウンリンク信号を送信するためのダウンリンク送信ビームを決定し、対応の受信ビームの決定のための指示情報が含まれる通知情報を端末に送信する。
【０１３１】
本発明に係る実施例では、前記指示情報は、少なくとも１つの前記第１のダウンリンク受信ビームの所在の少なくとも１つのグループの少なくとも１つのグループ識別子情報である。
【０１３２】
本発明に係る実施例では、前記通知情報は、前記通知情報の有効時間、または少なくとも１つの前記第１のダウンリンク受信ビームに対応する時間ー周波数リソース位置を示す有効時間ー周波数リソース指示情報、または所定の期間内の少なくとも１つの前記第１の受信ビームと時間ー周波数リソース位置との間のマッピング関係を含む。
【０１３３】
具体的には、前記通知情報は実施例１で説明したものと同様であるので、ここでの詳細な説明は省略する。
【０１３４】
上記のステップが実行された後、本発明に係る実施による方法のフローはステップ１０３に進み、すなわち、前記端末は、前記通知情報に基づき、少なくとも１つの前記第１のダウンリンク受信ビームを決定する。
【０１３５】
本発明に係る実施例では、ステップ１０３の特定の実施は以下の通りである。
【０１３６】
前記少なくとも１つのグループ識別子情報に基づき、少なくとも１つのターゲットグループを決定し、前記少なくとも１つのターゲットグループの各グループから１つの第１のダウンリンク受信ビームを選択して、少なくとも１つの前記第１のダウンリンク受信ビームとする。
【０１３７】
本発明に係る実施例では、前記少なくとも１つのターゲットグループの各グループから１つの第１のダウンリンク受信ビームを選択する場合、前記端末は、前記各グループから任意の１つのダウンリンク受信ビームを第１のダウンリンク受信ビームとして選択する。
【０１３８】
または、前記端末は、前記各グループから第２のグループ情報とマッチングするダウンリンク受信ビームを前記第１のダウンリンク受信ビームとして選択する。
【０１３９】
または、前記端末は、前記各グループ内の各ダウンリンク受信ビームに基づき、前記基地局により送信されたＲ個のトレーニング信号を受信し、前記端末は、前記各ダウンリンク受信ビームにより受信された受信トレーニング信号に基づき、前記各グループから所定規則を満たすダウンリンク受信ビームを前記第１のダウンリンク受信ビームとして選択する。
【０１４０】
具体的には、端末が通知情報を受信すると、端末は、データおよび信号を受信するために、ターゲット受信ビームのグループからビームを選択する必要がある。 ビームは次のように選択できる。
【０１４１】
ａ) ビームはランダムに選択される。
【０１４２】
ｂ) ビームは、以前の測定結果に従って選択される。例えば、端末は、以前に報告されたＮ個のダウンリンク送信ビームに対応するダウンリンク受信ビームを格納し、ダウンリンク受信ビームのうちの１つがターゲット受信ビームグループに属する場合、端末はデータ及び信号を受信するため、当該受信ビームを選択する。
【０１４３】
c) 基地局によって送信されたトレーニング信号に基づいてビームが選択される。基地局はいくつかのトレーニング信号を送信し、端末はターゲット受信ビームグループ内の各ビームを使用してトレーニング信号をそれぞれ受信し、何らかの基準の下でダウンリンク受信ビーム、例えば受信信号の最高電力を有する受信ビームを選択する。
【０１４４】
上記のステップが実行された後、本発明に係る実施例による方法のフローはステップ１０３に進み、すなわち、前記端末は、少なくとも１つの前記第１のダウンリンク受信ビームに基づき、ダウンリンク信号を受信する。
【０１４５】
具体的には、端末及び基地局がダウンリンク送信ビーム及びダウンリンク受信ビームを決定した後、ダウンリンク信号を送信する。
【０１４６】
実施例３
【０１４７】
同一の発明思想に基づき、本発明に係る実施例では、図３に示すように、基地局は、具体的には以下のようにビームを管理する。
【０１４８】
ステップ２０１において、基地局は、端末により送信されたダウンリンクビームの関連情報を受信する。
【０１４９】
本発明に係る実施例では、ステップ２０１の前に、前記方法では、前記基地局は、前記端末にＫ個のダウンリンク送信ビームトレーニング信号を送信し、Ｋは１より大きいか等しい整数である。
【０１５０】
具体的には、基地局は、まず、端末によって報告された自身の受信ビームの関連情報、例えば、端末の受信ビームの数または端末の受信ビームのグループの数を受信する。そして、基地局は、受信した端末の受信ビーム関連情報に基づいて、ダウンリンク送信ビームトレーニング信号を送信する。ここで、基地局がダウンリンク送信ビームトレーニング信号を送信する方法は、実施例１で説明したものと同様であるので、ここでは説明を省略する。
【０１５１】
端末は、以下の２つの実施態様でダウンリンク送信ビームトレーニング信号を受信する
【０１５２】
第１の実施態様では、Ｍ個の受信ビーム内の１つまたは複数を使用して、基地局によって送信されたダウンリンクビームトレーニング信号を受信して、受信したビームトレーニング信号を測定し、さらに条件を満たすＮ個のダウンリンク送信ビームを決定することができる。
【０１５３】
この場合、前記ダウンリンクビームの関連情報は、前記基地局のＫ個のダウンリンク送信ビームのうち、所定の条件を満たすＮ個のダウンリンク送信ビームのＮ個の第１の識別子情報及び前記Ｎ個のダウンリンク送信ビームそれぞれに対応する受信情報である。ここで、Ｎは１より大きいか等しいかつＫより小さいか等しい整数である。
【０１５４】
ここで、前記受信情報は、前記各ダウンリンク送信ビームに対応するダウンリンク受信ビームの識別子情報、または前記各ダウンリンク送信ビームに対応する受信指示情報である。
【０１５５】
詳しくは実施例１参考することができるため、ここでの詳細な説明は省略する。
【０１５６】
第２の実施態様では、端末は、まず、自身の受信ビームをグループ化して、受信ビームのグループのうちの１グループまたは複数を使用して、基地局により送信されたダウンリンク送信ビームトレーニング信号を受信する。そして、各グループの受信したビームトレーニング信号を測定し、さらに条件を満たすＮ個のダウンリンク送信ビームを決定することができる。
【０１５７】
この場合、前記ダウンリンクビームの関連情報は、前記基地局のＫ個のダウンリンク送信ビームのうち、所定の条件を満たすＮ個のダウンリンク送信ビームのＮ個の第１の識別子情報及び前記Ｎ個のダウンリンク送信ビームそれぞれに対応する受信情報であり、ここで、Ｎは１より大きいか等しいかつＫより小さいか等しい整数である。
【０１５８】
ここで、前記受信情報は、前記各ダウンリンク送信ビームに対応するダウンリンク受信ビームのグループ情報。
【０１５９】
詳しくは実施例２参考することができるため、ここでの詳細な説明は省略する。
【０１６０】
上記のステップが実行された後、本発明に係る実施例による方法はステップ２０２に進み、すなわち、前記基地局は、前記ダウンリンクビームの関連情報に基づき、第１のダウンリンク送信ビームを決定する。
【０１６１】
具体的には、基地局が、端末によって報告された情報を受信した後、基地局は、端末によって報告された情報に従って、端末にダウンリンク信号を送信するためのダウンリンク送信ビームを決定する。例えば、基地局は、端末によって決定されたＮ個のダウンリンク送信ビームのうちの１つ以上を第１のダウンリンク送信ビームとして選択するか、または任意の１つのダウンリンク送信ビームを第１のダウンリンク送信ビームとして選択するが、それに限定されない。
【０１６２】
ステップ２０２が実行された後、本発明に係る実施例による方法のフローはステップ２０３に進み、すなわち、前記基地局は、前記端末に前記第１のダウンリンク送信ビームと関連する通知情報を送信することにより、前記端末が前記通知情報に基づいて少なくとも１つの第１のダウンリンク受信ビームを決定するようにし、前記通知情報は、前記端末が少なくとも１つの第１のダウンリンク受信ビームを決定するための指示情報を含む。
【０１６３】
本発明に係る実施例では、前記指示情報は、少なくとも１つの前記第１のダウンリンク受信ビームの少なくとも１つのインデックス情報、または少なくとも１つの前記第１のダウンリンク受信ビームの少なくとも１つの識別子情報、または少なくとも１つの前記第１のダウンリンク受信ビームの所在の少なくとも１つのグループの少なくとも１つのグループ識別子情報、または前記第１のダウンリンク送信ビームに対応する第１の受信指示情報を含む。
【０１６４】
前記通知情報は、前記通知情報の有効時間、または少なくとも１つの前記第１のダウンリンク受信ビームに対応する時間ー周波数リソース位置を示す有効時間ー周波数リソース指示情報、または所定の期間内の少なくとも１つの前記第１の受信ビームと時間ー周波数リソース位置との間のマッピング関係を含む。
【０１６５】
具体的には、基地局により送信された通知情報は、端末によって報告された様々な情報と共に変化する。端末によって報告された情報がダウンリンク送信ビームに対応する受信ビームの識別子情報である場合、基地局は受信ビームに対応するインデックスまたは識別子情報を端末に送信する。端末によって報告された情報がダウンリンク送信ビームに対応する受信ビームのグループのビームのグループ識別子情報である場合、基地局は、受信ビームに対応するグループ識別子情報を端末に送信する。端末によって報告された情報がダウンリンク送信ビームに対応する受信指示情報である場合、基地局は、受信ビームの受信指示情報を端末に送信する。前記通知情報は、実施例１で説明したものと同様であるので、ここでの詳細な説明は省略する。
【０１６６】
本発明に係る実施例では、ステップ２０３の以下の２つの特定の実施態様がある。
【０１６７】
第１の実施態様では、基地局がダウンリンク信号を送信するための少なくとも１つのダウンリンク送信ビームを決定した後、基地局はダウンリンク送信ビームに関する通知情報を直接端末に送信する。
【０１６８】
第２の実施態様では、ステップ２０３の特定の実施は以下の通りである。
【０１６９】
前記基地局は、前記端末に前記通知情報を送信する必要があるかどうかを判定し、送信する必要があると判定される場合、前記端末に前記通知情報を送信する。
【０１７０】
本発明に係る実施例では、前記基地局は、前記端末に前記通知情報を送信する必要があるかどうかを判定する場合、前記基地局は、現在のダウンリンク送信ビームが前記第１のダウンリンク送信ビームと同じであるかどうかを判定する。
【０１７１】
同じではないと判定される場合、前記端末に前記通知情報を送信することを決定する。
【０１７２】
具体的には、基地局がダウンリンク信号の送信のためのダウンリンク送信ビームを決定する場合、基地局は、以下のように、ビーム切り替え通知情報を端末に送信するかどうかを決定する。
【０１７３】
ａ）ダウンリンク送信ビームが変更されていない場合、当該通知情報は送信されない。
【０１７４】
ダウンリンク送信ビームが変更された場合、基地局は変更されたダウンリンク送信ビームと変更されていないダウンリンク送信ビームとに対応するダウンリンク受信ビームの識別子を比較し、異なる場合、通知情報が送信される。
【０１７５】
ｂ）ダウンリンク送信ビームが変更されていない場合、当該通知情報は送信されない。
【０１７６】
ダウンリンク送信ビームが変更された場合、基地局は、変更されたダウンリンク送信ビームと変更されていないダウンリンク送信ビームに対応するダウンリンク受信ビームのグループのグループ識別子を比較し、異なる場合、通知情報が送信される。
【０１７７】
上記のステップが実行された後、本発明に係る実施例による方法のフローはステップ２０４に進み、すなわち、前記基地局は、前記第１のダウンリンク送信ビームに基づいて、前記端末に前記ダウンリンク信号を送信する。
【０１７８】
具体的には、基地局および端末がダウンリンク送信ビームおよびダウンリンク受信ビームを決定した後、それらはダウンリンク信号を送信／受信することができる。
【０１７９】
実施例４
【０１８０】
同一の発明思想に基づき、本発明に係る実施例は端末を提供し、当該端末の特定の実装形態についての本発明の実施形態による方法の説明を参照することができるので、その繰り返しの説明は省略する。図４に示すように、当該端末は、
基地局に前記端末のダウンリンクビームの関連情報を送信することにより、前記基地局が前記ダウンリンクビームの関連情報に基づいて第１のダウンリンク送信ビームを決定するようにする第１の送信モジュール３０１と、
前記基地局により送信された前記第１のダウンリンク送信ビームと関連する通知情報を受信する第１の受信モジュール３０２であって、前記通知情報は、前記端末が少なくとも１つの第１のダウンリンク受信ビームを決定するための指示情報を含む前記第１の受信モジュール３０２と、
前記通知情報に基づき、少なくとも１つの前記第１のダウンリンク受信ビームを決定する第１の決定モジュール３０３と、
少なくとも１つの前記第１のダウンリンク受信ビームに基づき、ダウンリンク信号を受信する第１の通信モジュール３０４とを備える。
【０１８１】
オプションとして、前記第１の送信モジュールは、
Ｍ個のダウンリンク受信ビームのうちの少なくとも１つのダウンリンク受信ビームに基づき、前記基地局により送信されたＫ個のダウンリンク送信ビームトレーニング信号を受信し、
前記少なくとも１つのダウンリンク受信ビームにより受信された受信信号に基づき、前記端末のダウンリンクビームの関連情報を決定し、
前記基地局に前記ダウンリンクビームの関連情報を送信し、
ここで、Ｍ、Ｋは１より大きいか等しい整数であり、ＫはＭより大きいか等しい。
【０１８２】
オプションとして、前記ダウンリンクビームの関連情報は、前記基地局のＫ個のダウンリンク送信ビームのうち、所定の条件を満たすＮ個のダウンリンク送信ビームのＮ個の第１の識別子情報及び前記Ｎ個のダウンリンク送信ビームそれぞれに対応する受信情報であり、ここで、Ｎは１より大きいか等しいかつＫより小さいか等しい整数である。
【０１８３】
オプションとして、前記受信情報は、前記各ダウンリンク送信ビームに対応するダウンリンク受信ビームの識別子情報、または前記各ダウンリンク送信ビームに対応するダウンリンク受信ビームのグループ情報、または前記各ダウンリンク送信ビームに対応する受信指示情報である。
【０１８４】
オプションとして、前記指示情報は、少なくとも１つの前記第１のダウンリンク受信ビームの少なくとも１つのインデックス情報、または少なくとも１つの前記第１のダウンリンク受信ビームの少なくとも１つの識別子情報、または少なくとも１つの前記第１のダウンリンク受信ビームの所在の少なくとも１つのグループの少なくとも１つのグループ識別子情報、または前記第１のダウンリンク送信ビームに対応する第１の受信指示情報を含む。
【０１８５】
オプションとして、前記通知情報は、前記通知情報の有効時間、または少なくとも１つの前記第１のダウンリンク受信ビームに対応する時間ー周波数リソース位置を示す有効時間ー周波数リソース指示情報、または所定の期間内の少なくとも１つの前記第１の受信ビームと時間ー周波数リソース位置との間のマッピング関係を含む。
【０１８６】
オプションとして、前記第１の決定モジュールは、
前記少なくとも１つのインデックス情報に基づき、少なくとも１つの前記第１のダウンリンク受信ビームを決定し、または
前記第１の受信指示情報に基づき、少なくとも１つの前記第１のダウンリンク受信ビームを決定し、または
前記少なくとも１つの識別子情報及び識別子情報とダウンリンク受信ビームとの間の対応関係に基づき、少なくとも１つの前記第１のダウンリンク受信ビームを決定し、または
前記少なくとも１つのインデックス情報または前記少なくとも１つの識別子情報に基づき、少なくとも１つの第２のダウンリンク受信ビームを決定し、前記Ｍ個のダウンリンク受信ビームから、前記少なくとも１つの第２のダウンリンク受信ビームとマッチングする少なくとも１つの受信ビームを少なくとも１つの前記第１のダウンリンク受信ビームとして決定し、または
前記少なくとも１つのグループ識別子情報に基づき、少なくとも１つのターゲットグループを決定し、前記少なくとも１つのターゲットグループの各グループから１つの第１のダウンリンク受信ビームを選択して、少なくとも１つの前記第１のダウンリンク受信ビームとする。
【０１８７】
オプションとして、前記第１の決定モジュールは、
前記各グループから任意の１つのダウンリンク受信ビームを第１のダウンリンク受信ビームとして選択し、または
前記各グループから第２のグループ情報とマッチングするダウンリンク受信ビームを前記第１のダウンリンク受信ビームとして選択し、または
前記各グループ内の各ダウンリンク受信ビームに基づき、前記基地局により送信されたＲ個のトレーニング信号を受信し、前記端末は、前記各ダウンリンク受信ビームにより受信された受信トレーニング信号に基づき、前記各グループから所定規則を満たすダウンリンク受信ビームを前記第１のダウンリンク受信ビームとして選択する。
【０１８８】
実施例５
【０１８９】
同一の発明思想に基づき、本発明に係る実施例は基地局を提供し、当該基地局の特定の実装形態についての本発明の実施形態による方法の説明を参照することができるので、その繰り返しの説明は省略する。図５に示すように、当該基地局は、
端末により送信されたダウンリンクビームの関連情報を受信する第２の受信モジュール４０１と、
前記ダウンリンクビームの関連情報に基づき、第１のダウンリンク送信ビームを決定する第２の決定モジュール４０２と、
前記端末に前記第１のダウンリンク送信ビームと関連する通知情報を送信することにより、前記端末が前記通知情報に基づいて少なくとも１つの第１のダウンリンク受信ビームを決定するようにする第２の送信モジュール４０３であって、前記通知情報は、前記端末が少なくとも１つの第１のダウンリンク受信ビームを決定するための指示情報を含む前記第２の送信モジュール４０３と、
前記第１のダウンリンク送信ビームに基づいて、前記端末に前記ダウンリンク信号を送信する第２の通信モジュール４０４とを備える。
【０１９０】
オプションとして、前記基地局は、前記端末にＫ個のダウンリンク送信ビームトレーニング信号を送信する第３の送信モジュール４０５をさらに備え、ここで、Ｋは１より大きいか等しい整数である。
【０１９１】
オプションとして、前記ダウンリンクビームの関連情報は、前記基地局のＫ個のダウンリンク送信ビームのうち、所定の条件を満たすＮ個のダウンリンク送信ビームのＮ個の第１の識別子情報及び前記Ｎ個のダウンリンク送信ビームそれぞれに対応する受信情報であり、ここで、Ｎは１より大きいか等しいかつＫより小さいか等しい整数である。
【０１９２】
オプションとして、前記受信情報は、前記各ダウンリンク送信ビームに対応するダウンリンク受信ビームの識別子情報、または前記各ダウンリンク送信ビームに対応するダウンリンク受信ビームのグループ情報、または前記各ダウンリンク送信ビームに対応する受信指示情報である。
【０１９３】
オプションとして、前記指示情報は、少なくとも１つの前記第１のダウンリンク受信ビームの少なくとも１つのインデックス情報、または少なくとも１つの前記第１のダウンリンク受信ビームの少なくとも１つの識別子情報、または少なくとも１つの前記第１のダウンリンク受信ビームの所在の少なくとも１つのグループの少なくとも１つのグループ識別子情報、または前記第１のダウンリンク送信ビームに対応する第１の受信指示情報を含む。
【０１９４】
オプションとして、前記第２の送信モジュールは、前記端末に前記通知情報を送信する必要があるかどうかを判定し、送信する必要があると判定される場合、前記端末に前記通知情報を送信する。
【０１９５】
オプションとして、前記第２の決定モジュールは、現在のダウンリンク送信ビームが前記第１のダウンリンク送信ビームと同じであるかどうかを判定し、同じではないと判定される場合、前記端末に前記通知情報を送信することを決定する。
【０１９６】
オプションとして、前記通知情報は、前記通知情報の有効時間、または少なくとも１つの前記第１のダウンリンク受信ビームに対応する時間ー周波数リソース位置を示す有効時間ー周波数リソース指示情報、または所定の期間内の少なくとも１つの前記第１の受信ビームと時間ー周波数リソース位置との間のマッピング関係を含む。
【０１９７】
実施例６
【０１９８】
同一の発明思想に基づき、本発明の実施例は端末を提供し、当該端末の特定の実装形態についての本発明の実施形態による方法の説明を参照することができるので、その繰り返しの説明は省略する。図６に示すように、当該端末は、プロセッサ５０１と、メモリ５０２と、送受信機５０３戸を備える。ここで、送受信機５０３は、プロセッサ５０１の制御下でデータを送受信し、メモリ５０２はプリセットしたプログラムを記憶する。
【０１９９】
プロセッサ５０１は、モリ５０２に記憶されたプログラムを読み出し、
送受信機５０３により、基地局に前記端末のダウンリンクビームの関連情報を送信することにより、前記基地局が前記ダウンリンクビームの関連情報に基づいて第１のダウンリンク送信ビームを決定するようにする。
【０２００】
送受信機５０３により、前記基地局により送信された前記第１のダウンリンク送信ビームと関連する通知情報を受信する。前記通知情報は、前記端末が少なくとも１つの第１のダウンリンク受信ビームを決定するための指示情報を含む。
【０２０１】
プロセッサ５０１は、前記通知情報に基づき、少なくとも１つの前記第１のダウンリンク受信ビームを決定する。
【０２０２】
プロセッサ５０１は、送受信機５０３により、少なくとも１つの前記第１のダウンリンク受信ビームに基づき、ダウンリンク信号を受信する。
【０２０３】
オプションとして、プロセッサ５０１送受信機５０３により、Ｍ個のダウンリンク受信ビームのうちの少なくとも１つのダウンリンク受信ビームに基づき、前記基地局により送信されたＫ個のダウンリンク送信ビームトレーニング信号を受信し、前記少なくとも１つのダウンリンク受信ビームにより受信された受信信号に基づき、前記端末のダウンリンクビームの関連情報を決定し、送受信機により、５０３前記基地局に前記ダウンリンクビームの関連情報を送信し、ここで、Ｍ、Ｋは１より大きいか等しい整数であり、ＫはＭより大きいか等しい。
【０２０４】
オプションとして、前記ダウンリンクビームの関連情報は、
前記基地局のＫ個のダウンリンク送信ビームのうち、所定の条件を満たすＮ個のダウンリンク送信ビームのＮ個の第１の識別子情報及び前記Ｎ個のダウンリンク送信ビームそれぞれに対応する受信情報であり、ここで、Ｎは１より大きいか等しいかつＫより小さいか等しい整数である。
【０２０５】
オプションとして、前記受信情報は、前記各ダウンリンク送信ビームに対応するダウンリンク受信ビームの識別子情報、または前記各ダウンリンク送信ビームに対応するダウンリンク受信ビームのグループ情報、または前記各ダウンリンク送信ビームに対応する受信指示情報である。
【０２０６】
オプションとして、前記指示情報は、少なくとも１つの前記第１のダウンリンク受信ビームの少なくとも１つのインデックス情報、または少なくとも１つの前記第１のダウンリンク受信ビームの少なくとも１つの識別子情報、または少なくとも１つの前記第１のダウンリンク受信ビームの所在の少なくとも１つのグループの少なくとも１つのグループ識別子情報、または前記第１のダウンリンク送信ビームに対応する第１の受信指示情報を含む。
【０２０７】
オプションとして、前記通知情報は、前記通知情報の有効時間、または少なくとも１つの前記第１のダウンリンク受信ビームに対応する時間ー周波数リソース位置を示す有効時間ー周波数リソース指示情報、または所定の期間内の少なくとも１つの前記第１の受信ビームと時間ー周波数リソース位置との間のマッピング関係を含む。
【０２０８】
オプションとして、プロセッサ５０１は、前記少なくとも１つのインデックス情報に基づき、少なくとも１つの前記第１のダウンリンク受信ビームを決定する。
【０２０９】
または、プロセッサ５０１は、前記第１の受信指示情報に基づき、少なくとも１つの前記第１のダウンリンク受信ビームを決定する。
【０２１０】
または、プロセッサ５０１は、前記少なくとも１つの識別子情報及び識別子情報とダウンリンク受信ビームとの間の対応関係に基づき、少なくとも１つの前記第１のダウンリンク受信ビームを決定する。
【０２１１】
または、プロセッサ５０１前記少なくとも１つのインデックス情報または前記少なくとも１つの識別子情報に基づき、少なくとも１つの第２のダウンリンク受信ビームを決定し、前記Ｍ個のダウンリンク受信ビームから、前記少なくとも１つの第２のダウンリンク受信ビームとマッチングする少なくとも１つの受信ビームを少なくとも１つの前記第１のダウンリンク受信ビームとして決定する。
【０２１２】
または、プロセッサ５０１前記少なくとも１つのグループ識別子情報に基づき、少なくとも１つのターゲットグループを決定し、前記少なくとも１つのターゲットグループの各グループから１つの第１のダウンリンク受信ビームを選択して、少なくとも１つの前記第１のダウンリンク受信ビームとする。
【０２１３】
オプションとして、プロセッサ５０１は、前記各グループから任意の１つのダウンリンク受信ビームを第１のダウンリンク受信ビームとして選択する。
【０２１４】
または、プロセッサ５０１は、前記各グループから第２のグループ情報とマッチングするダウンリンク受信ビームを前記第１のダウンリンク受信ビームとして選択する。
【０２１５】
または、プロセッサ５０１は、前記各グループ内の各ダウンリンク受信ビームに基づき、前記基地局により送信されたＲ個のトレーニング信号を受信し、前記端末は、前記各ダウンリンク受信ビームにより受信された受信トレーニング信号に基づき、前記各グループから所定規則を満たすダウンリンク受信ビームを前記第１のダウンリンク受信ビームとして選択する。
【０２１６】
実施例７
【０２１７】
同一の発明思想に基づき、本発明の実施例は基地局を提供し、当該基地局の特定の実装形態についての本発明の実施形態による方法の説明を参照することができるので、その繰り返しの説明は省略する。図７に示すように、当該基地局は、プロセッサ６０１と、メモリ６０２と、送受信機６０３とを備える。ここで、送受信機６０３は、プロセッサ６０１の制御下でデータを送受信し、メモリ６０２はプリセットしたプログラムを記憶する。
【０２１８】
プロセッサ６０１は、メモリ６０２に記憶されたプログラムを読み出し、送受信機６０３により、端末により送信されたダウンリンクビームの関連情報を受信する。
【０２１９】
プロセッサ６０１は、前記ダウンリンクビームの関連情報に基づき、第１のダウンリンク送信ビームを決定する。
【０２２０】
送受信機６０３により、前記端末に前記第１のダウンリンク送信ビームと関連する通知情報を送信することにより、前記端末が前記通知情報に基づいて少なくとも１つの第１のダウンリンク受信ビームを決定するようにし、前記通知情報は、前記端末が少なくとも１つの第１のダウンリンク受信ビームを決定するための指示情報を含む。
【０２２１】
プロセッサ６０１は、送受信機６０３により、前記第１のダウンリンク送信ビームに基づいて、前記端末に前記ダウンリンク信号を送信する。
【０２２２】
オプションとして、プロセッサ６０１が送受信機６０３により、端末によって送信されたダウンリンクビームの関連情報を受信する前、プロセッサ６０１は、送受信機６０３により、前記端末にＫ個のダウンリンク送信ビームトレーニング信号を送信し、Ｋは１より大きいか等しい整数である。
【０２２３】
オプションとして、前記ダウンリンクビームの関連情報は、前記基地局のＫ個のダウンリンク送信ビームのうち、所定の条件を満たすＮ個のダウンリンク送信ビームのＮ個の第１の識別子情報及び前記Ｎ個のダウンリンク送信ビームそれぞれに対応する受信情報であり、ここで、Ｎは１より大きいか等しいかつＫより小さいか等しい整数である。
【０２２４】
オプションとして、前記受信情報は、前記各ダウンリンク送信ビームに対応するダウンリンク受信ビームの識別子情報、または前記各ダウンリンク送信ビームに対応するダウンリンク受信ビームのグループ情報、または前記各ダウンリンク送信ビームに対応する受信指示情報である。
【０２２５】
オプションとして、前記指示情報は、少なくとも１つの前記第１のダウンリンク受信ビームの少なくとも１つのインデックス情報または少なくとも１つの前記第１のダウンリンク受信ビームの少なくとも１つの識別子情報または少なくとも１つの前記第１のダウンリンク受信ビームの所在の少なくとも１つのグループの少なくとも１つのグループ識別子情報または前記第１のダウンリンク送信ビームに対応する第１の受信指示情報である。
【０２２６】
オプションとして、プロセッサ６０１は、前記端末に前記通知情報を送信する必要があるかどうかを判定し、送信する必要があると判定される場合、送受信機により、前記端末に前記通知情報を送信する。
【０２２７】
オプションとして、プロセッサ６０１は、現在のダウンリンク送信ビームが前記第１のダウンリンク送信ビームと同じであるかどうかを判定し、同じではないと判定される場合、前記端末に前記通知情報を送信することを決定する。
【０２２８】
オプションとして、前記通知情報は、前記通知情報の有効時間、または少なくとも１つの前記第１のダウンリンク受信ビームに対応する時間ー周波数リソース位置を示す有効時間ー周波数リソース指示情報、または所定の期間内の少なくとも１つの前記第１の受信ビームと時間ー周波数リソース位置との間のマッピング関係を含む。
【０２２９】
上述の技術案によれば、本発明に係る実施例では、端末は、基地局に前記端末のダウンリンクビームの関連情報を送信することにより、前記基地局が前記ダウンリンクビームの関連情報に基づいて第１のダウンリンク送信ビームを決定するようにし、前記端末は、前記基地局により送信された前記第１のダウンリンク送信ビームと関連する通知情報を受信し、前記通知情報は、前記端末が少なくとも１つの第１のダウンリンク受信ビームを決定するための指示情報を含む；前記端末は、前記通知情報に基づき、少なくとも１つの前記第１のダウンリンク受信ビームを決定し、前記端末は、少なくとも１つの前記第１のダウンリンク受信ビームに基づき、ダウンリンク信号を受信し、その結果、ビームは、端末の受信ビームに基づいて管理および制御され、端末の受信ビームの数は基地局の送信ビームの数より少ない。したがって、端末と基地局との間で転送されるダウンリンクビームの関連情報の量も減少させることができ、それによって制御シグナリングのオーバーヘッドを大幅に低減し、既存の大規模アンテナ技術におけるビーム管理のための制御シグナリングのかなりのオーバーヘッドの問題点を解決する。
【０２３０】
本分野の技術者として、本発明の実施形態が、方法、システムまたはコンピュータプログラム製品を提供できるため、本発明は完全なハードウェア実施形態、完全なソフトウェア実施形態、またはソフトウェアとハードウェアの両方を結合した実施形態を採用できることがかわるはずである。さらに、本発明は、一つまたは複数のコンピュータプログラム製品の形式を採用できる。当該製品はコンピュータ使用可能なプログラムコードを含むコンピュータ使用可能な記憶媒体（ディスク記憶装置と光学記憶装置等を含むがそれとは限らない）において実施する。
【０２３１】
以上は本発明の実施形態の方法、装置（システム）、及びコンピュータプログラム製品のフロー図及び／またはブロック図によって、本発明を記述した。理解すべきことは、コンピュータプログラム指令によって、フロー図及び／またはブロック図における各フロー及び／またはブロックと、フロー図及び／またはブロック図におけるフロー及び／またはブロックの結合を具現できる。プロセッサはこれらのコンピュータプログラム指令を、汎用コンピュータ、専用コンピュータ、組込み式処理装置、または他のプログラム可能なデータ処理装置設備の処理装置器に提供でき、コンピュータまたは他のプログラム可能なデータ処理装置のプロセッサは、これらのコンピュータプログラム指令を実行し、フロー図における一つまたは複数のフロー及び／またはブロック図における一つまたは複数のブロックに指定する機能を具現する。
【０２３２】
これらのコンピュータプログラム指令は又、コンピュータまたは他のプログラム可能なデータ処理装置を特定方式で動作させるコンピュータ読取記憶装置に記憶できる。これによって、指令を含む装置は当該コンピュータ読取記憶装置内の指令を実行でき、フロー図における一つまたは複数のフロー及び／またはブロック図における一つまたは複数のブロックに指定する機能を具現する。
【０２３３】
これらコンピュータプログラム指令はさらに、コンピュータまたは他のプログラム可能なデータ処理装置設備に実装もできる。コンピュータプログラム指令が実装されたコンピュータまたは他のプログラム可能設備は、一連の操作ステップを実行することによって、関連の処理を具現し、コンピュータまたは他のプログラム可能な設備において実行される指令によって、フロー図における一つまたは複数のフロー及び／またはブロック図における一つまたは複数のブロックに指定する機能を具現する。
【０２３４】
上述のした実施形態に記述された技術的な解決手段を改造し、またはその中の一部の技術素子を置換することもできる。そのような、改造と置換は本発明の各実施形態の技術の範囲から逸脱するとは見なされない。
【０２３５】
無論、当業者によって、上述のした実施形態に記述された技術的な解決手段を改造し、またはその中の一部の技術素子を置換することもできる。そのような、改造と置換は本発明の各実施形態の技術の範囲から逸脱するとは見なされない。そのような改造と置換は、すべて本発明の請求の範囲に属する。
【符号の説明】
【０２３６】
５０１  プロセッサ
５０２  メモリ
５０３  送受信機
６０１  プロセッサ
６０２  メモリ
６０３  送受信機
【図１】
2019531656.tif 000010
【図２】
2019531656.tif 000011
【図３】
2019531656.tif 000012
【図４】
2019531656.tif 000013
【図５】
2019531656.tif 000014
【図６】
2019531656.tif 000015
【図７】
2019531656.tif 000016
【手続補正書】
【提出日】平成31年4月9日(2019.4.9)
【手続補正１】
【補正対象書類名】特許請求の範囲
【補正対象項目名】全文
【補正方法】変更
【補正の内容】
【特許請求の範囲】
【請求項１】
端末は、基地局に前記端末のダウンリンクビームの関連情報を送信することにより、前記基地局が前記ダウンリンクビームの関連情報に基づいて第１のダウンリンク送信ビームを決定するようにするステップと、
前記端末は、前記基地局により送信された前記第１のダウンリンク送信ビームと関連する通知情報を受信するステップと、
前記端末は、前記通知情報に基づき、少なくとも１つの第１のダウンリンク受信ビームを決定するステップと、
前記端末は、少なくとも１つの前記第１のダウンリンク受信ビームに基づき、ダウンリンク信号を受信するステップとを備え、
前記通知情報は、前記端末が少なくとも１つの前記第１のダウンリンク受信ビームを決定するための指示情報を含むことを特徴とするアンテナビーム管理のための方法。
【請求項２】
前記端末が、基地局に前記端末のダウンリンクビームの関連情報を送信する場合、
前記端末は、Ｍ個のダウンリンク受信ビームのうちの少なくとも１つのダウンリンク受信ビームに基づき、前記基地局により送信されたＫ個のダウンリンク送信ビームトレーニング信号を受信し、
前記端末は、前記少なくとも１つのダウンリンク受信ビームにより受信された受信信号に基づき、前記端末のダウンリンクビームの関連情報を決定し、
前記端末は、前記基地局に前記ダウンリンクビームの関連情報を送信し、
Ｍ、Ｋは１より大きいか等しい整数であり、ＫはＭより大きいか等しいことを特徴とする請求項１に記載のアンテナビーム管理のための方法。
【請求項３】
前記ダウンリンクビームの関連情報は、
前記基地局のＫ個のダウンリンク送信ビームのうち、所定の条件を満たすＮ個のダウンリンク送信ビームのＮ個の第１の識別子情報及び前記Ｎ個のダウンリンク送信ビームそれぞれに対応する受信情報であり、Ｎは１より大きいか等しいかつＫより小さいか等しい整数であることを特徴とする請求項２に記載のアンテナビーム管理のための方法。
【請求項４】
前記受信情報は、
前記各ダウンリンク送信ビームに対応するダウンリンク受信ビームの識別子情報、または
前記各ダウンリンク送信ビームに対応するダウンリンク受信ビームのグループ情報、または
前記各ダウンリンク送信ビームに対応する受信指示情報であることを特徴とする請求項３に記載のアンテナビーム管理のための方法。
【請求項５】
前記指示情報は、少なくとも１つの前記第１のダウンリンク受信ビームの少なくとも１つのインデックス情報、または少なくとも１つの前記第１のダウンリンク受信ビームの少なくとも１つの識別子情報、または少なくとも１つの前記第１のダウンリンク受信ビームの所在の少なくとも１つのグループの少なくとも１つのグループ識別子情報、または前記第１のダウンリンク送信ビームに対応する第１の受信指示情報を含むことを特徴とする請求項１に記載のアンテナビーム管理のための方法。
【請求項６】
前記通知情報は、前記通知情報の有効時間、または少なくとも１つの前記第１のダウンリンク受信ビームに対応する時間ー周波数リソース位置を示す有効時間ー周波数リソース指示情報、または所定の期間内の少なくとも１つの前記第１のダウンリンク受信ビームと時間ー周波数リソース位置との間のマッピング関係を含むことを特徴とする請求項５に記載のアンテナビーム管理のための方法。
【請求項７】
前記端末は、前記通知情報に基づき、少なくとも１つの前記第１のダウンリンク受信ビームを決定する場合、
前記少なくとも１つのインデックス情報に基づき、少なくとも１つの前記第１のダウンリンク受信ビームを決定し、または
前記第１の受信指示情報に基づき、少なくとも１つの前記第１のダウンリンク受信ビームを決定し、または
前記少なくとも１つの識別子情報及び識別子情報とダウンリンク受信ビームとの間の対応関係に基づき、少なくとも１つの前記第１のダウンリンク受信ビームを決定し、または
前記少なくとも１つのインデックス情報または前記少なくとも１つの識別子情報に基づき、少なくとも１つの第２のダウンリンク受信ビームを決定し、Ｍ個のダウンリンク受信ビームから、前記少なくとも１つの第２のダウンリンク受信ビームとマッチングする少なくとも１つの受信ビームを少なくとも１つの前記第１のダウンリンク受信ビームとして決定し、または
前記少なくとも１つのグループ識別子情報に基づき、少なくとも１つのターゲットグループを決定し、前記少なくとも１つのターゲットグループの各グループから１つの第１のダウンリンク受信ビームを選択して、少なくとも１つの前記第１のダウンリンク受信ビームとすることを特徴とする請求項５に記載のアンテナビーム管理のための方法。
【請求項８】
前記少なくとも１つのターゲットグループの各グループから１つの第１のダウンリンク受信ビームを選択する場合、
前記端末は、前記各グループから任意の１つのダウンリンク受信ビームを第１のダウンリンク受信ビームとして選択し、または
前記端末は、前記各グループから第２のグループ情報とマッチングするダウンリンク受信ビームを前記第１のダウンリンク受信ビームとして選択し、または
前記端末は、前記各グループ内の各ダウンリンク受信ビームに基づき、前記基地局により送信されたＲ個のトレーニング信号を受信し、前記端末は、前記各ダウンリンク受信ビームにより受信された受信トレーニング信号に基づき、前記各グループから所定規則を満たすダウンリンク受信ビームを前記第１のダウンリンク受信ビームとして選択することを特徴とする請求項７に記載のアンテナビーム管理のための方法。
【請求項９】
基地局は、端末により送信されたダウンリンクビームの関連情報を受信するステップと、
前記基地局は、前記ダウンリンクビームの関連情報に基づき、第１のダウンリンク送信ビームを決定するステップと、
前記基地局は、前記端末に前記第１のダウンリンク送信ビームと関連する通知情報を送信することにより、前記端末が前記通知情報に基づいて少なくとも１つの第１のダウンリンク受信ビームを決定するようにするステップと、
前記基地局は、前記第１のダウンリンク送信ビームに基づいて、前記端末にダウンリンク信号を送信するステップとを備え、
前記通知情報は、前記端末が少なくとも１つの第１のダウンリンク受信ビームを決定するための指示情報を含むことを特徴とするアンテナビーム管理のための方法。
【請求項１０】
前記基地局が端末により送信されたダウンリンクビームの関連情報を受信する前、
前記基地局は、前記端末にＫ個のダウンリンク送信ビームトレーニング信号を送信し、Ｋは１より大きいか等しい整数であることを特徴とする請求項９に記載のアンテナビーム管理のための方法。
【請求項１１】
前記ダウンリンクビームの関連情報は、
前記基地局のＫ個のダウンリンク送信ビームのうち、所定の条件を満たすＮ個のダウンリンク送信ビームのＮ個の第１の識別子情報及び前記Ｎ個のダウンリンク送信ビームそれぞれに対応する受信情報であり、Ｎは１より大きいか等しいかつＫより小さいか等しい整数であることを特徴とする請求項１０に記載のアンテナビーム管理のための方法。
【請求項１２】
前記受信情報は、
前記各ダウンリンク送信ビームに対応するダウンリンク受信ビームの識別子情報、または
前記各ダウンリンク送信ビームに対応するダウンリンク受信ビームのグループ情報、または
前記各ダウンリンク送信ビームに対応する受信指示情報であることを特徴とする請求項１１に記載のアンテナビーム管理のための方法。
【請求項１３】
前記指示情報は、少なくとも１つの前記第１のダウンリンク受信ビームの少なくとも１つのインデックス情報、または少なくとも１つの前記第１のダウンリンク受信ビームの少なくとも１つの識別子情報、または少なくとも１つの前記第１のダウンリンク受信ビームの所在の少なくとも１つのグループの少なくとも１つのグループ識別子情報、または前記第１のダウンリンク送信ビームに対応する第１の受信指示情報を含むことを特徴とする請求項９に記載のアンテナビーム管理のための方法。
【請求項１４】
前記基地局は、前記端末に前記第１のダウンリンク送信ビームと関連する通知情報を送信する場合、
前記基地局は、前記端末に前記通知情報を送信する必要があるかどうかを判定し、
送信する必要があると判定される場合、前記端末に前記通知情報を送信することを特徴とする請求項１３に記載のアンテナビーム管理のための方法。
【請求項１５】
前記基地局は、前記端末に前記通知情報を送信する必要があるかどうかを判定する場合、
前記基地局は、現在のダウンリンク送信ビームが前記第１のダウンリンク送信ビームと同じであるかどうかを判定し、
同じではないと判定される場合、前記端末に前記通知情報を送信することを決定することを特徴とする請求項１４に記載のアンテナビーム管理のための方法。
【請求項１６】
前記通知情報は、前記通知情報の有効時間、または少なくとも１つの前記第１のダウンリンク受信ビームに対応する時間ー周波数リソース位置を示す有効時間ー周波数リソース指示情報、または所定の期間内の少なくとも１つの前記第１のダウンリンク受信ビームと時間ー周波数リソース位置との間のマッピング関係を含むことを特徴とする請求項１３または請求項１４に記載のアンテナビーム管理のための方法。
【請求項１７】
基地局に端末のダウンリンクビームの関連情報を送信することにより、前記基地局が前記ダウンリンクビームの関連情報に基づいて第１のダウンリンク送信ビームを決定するようにする第１の送信モジュールと、
前記基地局により送信された前記第１のダウンリンク送信ビームと関連する通知情報を受信し、前記通知情報は、前記端末が少なくとも１つの第１のダウンリンク受信ビームを決定するための指示情報を含むように構成される、第１の受信モジュールと、
前記通知情報に基づき、少なくとも１つの前記第１のダウンリンク受信ビームを決定するように構成される、第１の決定モジュールと、
少なくとも１つの前記第１のダウンリンク受信ビームに基づき、ダウンリンク信号を受信するように構成される、第１の通信モジュールとを備えることを特徴とする端末。
【国際調査報告】
2019531656.tif 000017
2019531656.tif 000018
2019531656.tif 000019
2019531656.tif 000020